(57)【要約】複数のユーザ、パートナー、およびディストリビュータの環境クレジットスコアリングのための方法およびシステムが提供され、この方法およびシステムは、複数のユーザ、パートナー、およびディストリビュータを登録するステップと、登録されたユーザから情報を受信するステップと、パートナーおよびディストリビュータから環境アクティビティレコードを受信するステップと、各アクティビティに識別番号を割り当てるステップと、環境アクティビティレコードを検証するステップと、各環境アクティビティのスコアを計算するステップとを含む、パートナーおよび配布者の環境信用スコアを計算し、サービスシステムのポイントからデータを受信し、ユーザ、パートナーおよび配布者の環境活動記録を識別し、それぞれの環境活動レコードを信用し、ユーザの環境活動記録の下でクレジットされた環境活動のデータに基づいて、ユーザの環境信用スコアを計算し、ユーザの環境信用スコアを分析すると、前記環境信用スコアを公開するステップと、を含むことを特徴とする。
2020529092.tif 000002
【特許請求の範囲】
【請求項１】
複数のユーザ、パートナー、およびディストリビュータの環境クレジットスコアリングのための方法であって、
固有のユーザ識別子を割り当てることにより、複数のユーザ、パートナー、およびディストリビュータを登録するステップと、
登録されたユーザが登録ユーザとなる前に、登録されたユーザによって完了した1つ以上の環境活動に関する情報を含む登録ユーザからの情報を受信するステップであって、環境活動情報は、ホーム。エネルギー、輸送、廃棄物、食品、およびショッピングの情報を含み、
少なくとも(1つ)の環境製品宣言プログラムオペレータ、登録パートナーまたは未登録エンティティを有する少なくとも(1つ)の環境活動レコードを検証するステップと、
製品及び/又はサービスのような各検証された環境活動のスコアを計算するステップと、検証された環境製品宣言に含まれる環境影響情報と、パートナーによって提供された製品及び/又はサービスと、他のパートナーによって提供された類似の製品及びサービスの検証された環境製品宣言に含まれる情報とに基づいて、
登録されたユーザによって完了した環境活動に関するデータを登録されたパートナーのサービスシステムのポイントから受信するステップであって、登録されたユーザは、登録されたユーザの環境活動レコードにアクセスするように、サービスシステムの時点で一意のユーザ識別子を入力し、登録されたパートナーは、登録されたユーザを識別し検証して、ユーザによるまたは複数の環境活動の完了を確認し、
複数のユーザ、パートナー、および配布者のうちの少なくとも(1つ)の環境活動レコードを、ユーザによって完了された環境活動の各々について一意のユーザ識別子に関連付けられ、ユーザによって完了された環境活動に基づいてそれぞれの環境活動レコードを信用することと、
ユーザの環境活動レコードの下でクレジットされた環境活動のデータに基づいて、登録されたユーザについての環境信用スコアを計算するステップと、
ユーザの環境信用スコアを分析して、高い環境クレジットスコアを有する(1)または複数のユーザを決定するステップと、
ユーザの環境信用スコアを公開し、ユーザに通知する、方法。
【請求項２】
登録されたユーザ、登録されたパートナー、および登録された配布者の個人情報および環境活動情報を記憶することをさらに含み、登録された配布者のディストリビュータは、パートナーに分散された製品および/またはサービスを含む環境活動を監視し追跡し、配布者の環境活動記録に記憶される、請求項1記載の方法
【請求項３】
登録されたユーザ、パートナーおよび配布者の環境信用スコアが、特定の地理的区域、特定の種類の環境活動、特定のカテゴリまたは製品またはサービスの分類のうちの少なくとも(1つ)について計算され、より多くのポイントが(1つ)または複数の環境クレジットスコアに追加される、請求項2記載の方法であって、
高いスコア環境製品宣言を伴う環境活動に参加する、および/または、高環境クレジットコアを有するユーザ、パートナー、および配布者を、マーク、標識、記号、および/または他の任意の利点を有する高環境クレジットコアを備え、ユーザの環境信用スコアは、個人および/または公共および/または自発的なセクタおよび/または他のエンティティ、例えば、雇用決定、大学アドミッション決定、およびランドロード-テナント決定のようなエリア内の他のエンティティによって使用される、個人、会社、および他の任意のエンティティへの政府の決定は、サービス、報償、sクレジット、ショール船舶のような消費者の生活に影響を与える可能性がある他の領域における環境信用スコアを使用して、ユーザに提供または許可されるべきである、方法。
【請求項４】
本発明の方法は、分類(ニューヨーク、(20)、(2011)に記載された環境活動を含む環境活動を、(a)環境保護活動および支出、(b)資源管理活動および支出、および(c)資源使用活動および支出の(3つ)の部分から構成することを特徴とする請求項3記載の方法
【請求項５】
請求項(4)に記載の方法であって、さらに：
登録されたユーザの環境活動の環境影響を低減するために、登録されたユーザに対して少なくとも(1つ)の環境活動を示唆するステップと、ユーザの地理的位置を決定し、環境活動のユーザおよび環境製品宣言スコアからの環境活動の位置に基づいて、ユーザに環境活動を提示するステップと、を含む
登録されたユーザの前に登録されたユーザの環境活動の環境的影響と、登録されたユーザの後の少なくとも(1つ)の環境アクティビティに対する登録ユーザの参加とに基づいて、登録されたユーザの各々についての環境クレジットスコアを計算するステップとを含む
【請求項６】
高いスコアを有する環境活動は、ユーザに昇格される優先度を与えられる、請求項5に記載の方法
【請求項７】
前記パートナーの(1つ)についての環境信用スコアの計算は、前記登録されたパートナーの環境活動記録および/または一定の間隔で、および/または前記登録されたパートナーからの要求に基づいて、前記登録されたパートナーの環境活動記録にクレジットされた全ての検証された環境アクティビティの後に行われる、請求項6記載の方法
【請求項８】
前記環境活動の各々は、関連する環境製品宣言を有し、前記環境製品宣言は、特定のプログラムオペレータによって発行されたiso14025および(a)に基づくタイプiiiの環境製品宣言であり、または(b)特定のプログラムオペレータによって、サーバコンピュータシステムが特定の状態、国、大陸、または領域などのように動作する特定の地理的領域において発行される、請求項7記載の方法製品および組織環境フットプリントカテゴリルール(PEFCR、OEFCR)のための欧州パイロットを含むが、これらに限定されない統一された製品カテゴリルールに基づいて、パートナーによって提供される環境活動をユーザに促進することができ、ユーザによって公にアクセス可能であることを特徴とする、方法。
【請求項９】
前記環境活動の各々の前記環境製品宣言のスコアに基づいて前記環境活動を表示することをさらに含み、前記環境活動は、高いスコアの環境製品宣言を有する環境活動が最初に表示されることを特徴とする請求項8に記載の方法
【請求項１０】
サーバコンピュータシステムおよびモバイルアプリケーションによってホストされるウェブサイトのうちの少なくとも(1つ)を介して、特定の地理的位置のパートナーによって提供される製品および/またはサービスを含む環境アクティビティを検索するオプションをユーザに提示するステップをさらに含む、請求項9に記載の方法
【請求項１１】
複数のユーザ、パートナー、およびディストリビュータの環境クレジットスコアリングのためのシステムであって：
サーバコンピュータシステムは、以下のものを含む；
固有のユーザ識別子を割り当てることにより、複数のユーザ、パートナー、およびディストリビュータを登録するように構成された登録モジュールと、
送受信モジュールは、以下のように構成される；
登録された利用者が登録した利用者となる前に、登録された利用者が完成した1以上の環境活動についての個人情報及び情報を含む登録ユーザからの情報を受信し、各環境活動に識別番号を付与し、環境活動情報には、ホームエネルギー、輸送、廃棄物、食品、買い物の情報を含む環境活動情報を付与する、
登録されたユーザによって完了した環境活動に関するデータを登録されたパートナーのサービスシステムのポイントから受信し、登録されたユーザは、登録されたユーザの環境活動レコードにアクセスするために、サービスシステムの時点で一意のユーザ識別子を入力し、登録されたパートナーは、登録されたユーザを識別し検証して、ユーザによるまたは複数の環境活動の完了を確認する、
少なくとも(1つ)の環境製品宣言プログラムオペレータ、登録パートナーまたは未登録エンティティを有する少なくとも(1つ)の環境活動レコードを検証するように構成された検証モジュールと、
処理モジュールは、
パートナーによって提供された製品及び/又はサービスの環境製品宣言に含まれる環境影響情報と、他のパートナーによって提供される同様の製品及びサービスの環境製品宣言に含まれる情報とに基づいて、パートナーによってユーザに提供される製品及び/又はサービスのような各環境活動についてのスコアを計算し、
製品の環境製品宣言に含まれる環境影響情報および/または配布者が使用するサービスに基づいて、環境活動をパートナーに分散させ、製品および/またはサービスのような環境活動を登録されたパートナーおよび/または未登録エンティティに分散させるために、配布者によって使用される各環境活動に対するスコアを計算するの検証された環境製品宣言に含まれる情報と、他のディストリビュータが環境活動を分散するために使用される同様の製品及び/又はサービスの宣言に含まれる情報と、
各環境法則違反の環境影響に基づいて、各環境法則違反に対するスコアを計算する、
計算されたスコアに基づいて、パートナーおよび配布者の環境信用スコアを計算する、
複数のユーザ、パートナー、および配布者のうちの少なくとも(1つ)の環境活動レコードを、ユーザによって完了された環境活動の各々について一意のユーザ識別子に関連付けられ、ユーザによって完了された環境活動に基づいてそれぞれの環境活動レコードを信用することと、
ユーザの環境活動レコードの下でクレジットされた環境活動のデータに基づいて、登録されたユーザについての環境信用スコアを計算するステップと、
ユーザの環境信用スコアを分析して、高い環境クレジットスコアを有する(1)または複数のユーザを決定する
公開モジュールは、ユーザの環境信用スコアを公開し、ユーザに通知するように構成されている、システム。
【請求項１２】
前記サーバコンピュータシステムは、前記登録されたユーザ、登録されたパートナー、および登録された配布者の個人情報および環境活動情報を格納するように構成されたデータベースをさらに備え、前記登録された配布者のディストリビュータは、前記パートナーに配布され、前記配布者の環境活動記録に保存された製品および/またはサービスを含む環境活動を監視し追跡することができる、請求項11に記載のシステム
【請求項１３】
前記処理モジュールは、さらに、以下のように構成されることを特徴とする請求項12に記載のシステム；
特定の地理的領域、特定の製品、サービスカテゴリのうちの少なくとも(1つ)について、登録されたユーザの環境信用スコアを計算し、サーバコンピュータシステムは、複数のユーザ、パートナー、およびディストリビュータのそれぞれの環境アクティビティレコードの下で、複数のユーザ、パートナー、およびディストリビュータの環境クレジットスコアデータを公開するように構成された公開モジュールをさらに備え、
特定の地理的区域、特定の種類の環境活動、特定のカテゴリまたは製品またはサービスの分類のうちの少なくとも(1つ)について、登録されたパートナーおよび配布者の環境信用スコアを計算し、より多くのポイントが、高いスコアの環境製品宣言および/またはマーキングユーザ、パートナーを用いて、環境活動に参加する(1)または複数のユーザの環境信用スコアに追加される前記処理モジュールは、前記登録されたパートナーの環境活動記録および/または一定の間隔で、および/または、前記登録されたパートナーまたは前記登録された配布者からの要求に基づいて、前記登録されたパートナーおよび前記配布者の環境活動記録にクレジットされた検証された環境活動のすべてを検証した後に、前記パートナーおよび配布者の環境信用スコアを計算する、方法
【請求項１４】
環境活動は、分類(ニューヨーク、(20)に記載された環境活動を含み、(a)環境保護活動および支出、(b)資源管理活動および支出、および(c)資源使用活動および支出を含む(3つ)の部品からなることを特徴とする請求項13記載のシステム
【請求項１５】
前記処理モジュールは、さらに、以下のように構成される、請求項14に記載のシステム；
登録されたユーザの環境活動の環境影響を低減するために、登録されたユーザに対する少なくとも(1つ)の環境アクティビティを提案し、登録されたユーザの前の環境活動の計算された環境影響に基づいて、ユーザの地理的位置が決定され、環境が環境的に決定される
ユーザからの環境活動のロケーションと、環境活動の環境製品宣言スコアとに基づいて、アクティビティがユーザに提示される、
登録されたユーザの前に登録されたユーザの環境活動の環境影響と、登録されたユーザの後の少なくとも(1つ)の環境アクティビティにおける登録ユーザの参加とに基づいて、登録されたユーザの各々についての環境クレジットスコアを計算し、複数のユーザの環境クレジットスコアを分析して、高い環境クレジットスコアを有する(1)または複数のユーザを決定する、システム。
【請求項１６】
請求項15記載のシステムであって、ユーザの環境信用スコアは、個人および/または公共および/または自発的セクタおよび/または他のエンティティ、例えば、雇用決定、大学アドミッション決定、およびランドロード-テナント決定、個人、会社、および他の任意のエンティティへの政府の決定、サービス、報償、sクレジットの決定のような消費者の生活に影響を与える他の領域における環境信用スコアを使用して、使用されることを特徴とする、またはユーザに付与されるべきであり、高いスコアを有する環境活動が、ユーザに昇格される優先度を与えられることを特徴とする、システム。
【請求項１７】
処理モジュールは、全ての検証された環境アクティビティが登録されたパートナーの環境アクティビティレコードにクレジットされた後、および/または、登録されたパートナーからの要求に基づいて、すべての検証された環境アクティビティが登録されたパートナーの環境アクティビティレコードにクレジットされた後に、パートナーの(1つ)についての環境信用スコアを計算するように構成される、請求項16記載のシステム。
昇格される優先度を与えられることを特徴とする、システム。
【請求項１８】
請求項17記載のシステムであって、環境活動の各々は関連する環境製品宣言を有し、環境製品宣言は機械可読フォーマットであり、特定のプログラムオペレータによって発行されたiso14025、(a)に基づくタイプiiiの環境製品宣言であり、(b)特定の状態、国、大陸、または領域などのサーバコンピュータシステムが動作する特定の地理的領域において特定のプログラムオペレータによって発行される又は(c)製品のための欧州パイロットを含むがこれらに限定されない統一された製品カテゴリ規則に基づいて、
組織環境フットプリントカテゴリルール(PEFCR、OEFCR)は、パートナーによって提供される環境活動をユーザに促進することができ、ユーザによって公にアクセス可能であることができる、システム。
【請求項１９】
前記処理モジュールは、前記環境活動の各々の前記環境製品宣言のスコアに基づいて前記環境活動を表示するようにさらに構成され、高いスコアの環境製品宣言を有する環境活動が最初に表示される、請求項18に記載のシステム
【請求項２０】
前記処理モジュールは、前記ユーザが、特定の地理的位置においてパートナーによって提供される製品および/またはサービスのような環境活動を検索することを可能にするようにさらに構成され、前記環境活動は、前記環境活動の各々の前記環境製品宣言のスコアに基づいて、前記ユーザに表示される、請求項19に記載のシステム
【発明の詳細な説明】
【技術分野】
【０００１】
関連するアプリケーションを参照すること
[001] 本出願は、米国仮特許出願番号serから優先権を主張する。2006年7月24日に出願された米国仮特許出願第60/536、314号、名称"環境クレジットスコアリングのための方法およびシステム"、米国仮特許出願第11/356。2006年7月9日に出願された米国仮特許出願番号62/695448号、名称"環境クレジットスコアリングのための方法およびシステム"、米国仮特許出願第11/695448号。2006年7月18日に出願された米国特許出願番号62/700、240号、名称"環境クレジットスコアリングのための方法およびシステム"、およびusユーティリティ特許出願ser。2000年7月24日に出願された米国特許出願番号16/043、453号、名称"環境クレジットスコアリングのための方法およびシステム"。上記の各出願は、その全体が参照により本明細書に組み込まれる。
[002] 技術分野
本発明は、一般に、ユーザ、パートナー、およびディストリビュータの環境活動に基づく環境クレジットスコアリングのための方法およびシステムに関する。
【背景技術】
【０００２】
[003] インターネットの広範な使用およびコンピューティングシステムの成長では、著しい開発を達成しなかった(1つ)の領域は、環境評価技術およびシステムである。これらの技術およびシステムは、現在の環境問題に効果的に対処するために、個人、ビジネス、非利益組織、および政府のエンティティを一緒に作業することに失敗した。
[004] 現在、地球は、気候変化、大気汚染、オゾン枯渇、水質汚染、除害、脱気、居住性破壊、有毒化学物質、天然資源抽出、光および雑音汚染、酸性雨、医療廃棄物、および水張りおよび埋立地のような多くの環境問題に直面している。環境変化および地球温暖化は、トップ深刻な環境問題の中である地球温暖化は、大気中の温室効果ガスの濃度の増加によって引き起こされ、地球の表面付近の平均的な地球温度の進行中の上昇及び最近の上昇を指し、これは次に、気候パターンの変化を引き起こす。数十年以上にわたって、温度、風パターン、および降水を含む、気候測定における重大な変化は、気候変化と呼ばれる科学文献には、環境および公共の健康に対する環境変化の実質的かつ遠位のリスクおよび含意が存在することに留意されたい。
[005] 地球温暖化及び資源枯渇のような環境問題に対する懸念が高まっていることにより、認証及び緑色製品規格の種類及び数が成長し、家庭、学校、メーカー、レストラン、ホテル、清掃会社等に開発された多くの緑色認証が拡張され、製造、使用、再利用の観点からの製品の影響を決定するために、より広い範囲の環境問題が含まれてきた緑色認証は、商品またはサービスが強制的または随意的な規格を満たし、環境上の利益を提供することを確認する。国際標準化(ISO)の国際組織は、ISO14024に基づくタイプi環境ラベル、ISO14021に基づくタイプii自己宣言環境クレーム、およびiso14025に基づくタイプiii環境製品宣言の3種類の環境製品を開発したiii型環境製品宣言は、標準化された(ISO(14025)及びライフサイクル評価ベースのツールである。公開されるように、タイプiiiの環境宣言は、プログラムオペレータと呼ばれる独立した機関を必要とし、環境製品宣言の完全な開発プロセスを監視する。環境製品宣言は、製品またはサービスがそのライフサイクルを通じて環境に影響を及ぼす方法に焦点を合わせる報告であるこの宣言は、国際的に受け付けられ、独立に検証され、登録され、公開された文書である。
[006] 有害な大気排出物、原材料、水、及びエネルギーの使用、並びに建築物の解体、施工、再意図、占有、及び再汚染の際の廃棄物の発生は、環境に多大な影響を与える。衝撃を緩和する。
自然環境、持続性評価システム、緑色建物標準、および認証の建物は国際的に開発されており、United Statesにおけるleedおよびenergystar、United Kingdomにおけるbreweam、シングルポア中のグリーンマーク、ホongkongにおけるbeamプラス、およびオーストラリアにおけるグリーンスター、nabersエネルギー、およびnabers水が含まれる。
[007] 銀行コミュニティ内では、通常の金融可能性を超えて、環境および社会的要因をクレジット。スコア。システムに組み込むことが増加する。金融機関は、持続可能な経済的開発をサポートする金融商品の市場要求を満足させるために、緑色保険、緑色証券、および緑色ローンのような多くの緑色金融商品を作成した環境基準は、クレジットリスク評価方法に組み込まれるが、これらの環境要因は限定され、貸出は、資金の計画された使用のための環境基準に依存する。
[008] 現在、米国では約100個の認証を含む、数百個の国際緑色製品認証があるが、これらは、現在の環境問題に効果的に対処するために、個人、ビジネス、非利益組織、および政府のエンティティを一緒に作業することに失敗した。さらに、環境活動における個々の参加の著しい増加を生成する際のそれらの有効性が制限される。
[009] 環境変化などの現在の環境問題を解決するための個人、企業、非営利団体、および政府機関の努力を増加させなければならない。例えば、現在の気候変化および地球温暖化問題を迅速かつ効果的に対処するために、すべてのエンティティは、それらが大気中に入っている温室効果ガス放出量(ヒートトラップ放出)を著しく減少させなければならない人間の活動を直接的かつ間接的にサポートするために生成される、当量トンの二酸化炭素(C02)で発現される温室効果ガスの総量は、"炭素フットプリント"として一般に知られている"。
[010] 多くの解決策を実施することは、現在の環境問題に対処するために、個人、ビジネス、非利益、および政府のエンティティからのコミットメントおよび責任を必要とする。したがって、個人、企業、非利益、および政府のエンティティを協調し、リサイクルなどの環境活動に積極的に関与させるための、専用の包括的な環境クレジットスコアに対する実質的な必要性が存在する環境に優しい製品およびサービスを購入し、再生可能な電気、電気自動車、および他の環境に優しい製品およびサービスを使用することを含む。
【発明の概要】
【０００３】
(1)１つ又は複数の実施形態によれば、複数のユーザ、パートナー、およびディストリビュータの環境活動に基づく環境信用スコアリング方法が提供される。本方法は、複数のユーザ、パートナー、および配布者を、配布者の環境活動レコード、パートナーの環境活動レコードを作成することによって、サーバ。コンピュータ。システムに登録することを含むと、複数のディストリビュータ、パートナー、およびユーザの各々について、サーバコンピュータシステムによってアクセス可能であり、各ディストリビュータ、パートナー、およびユーザのレコードを一意のユーザ識別子と関連付けるユーザ環境アクティビティ記録とを含む。この方法はまた、登録されたユーザから情報を受信するステップであって、登録されたユーザになる前に、登録されたユーザによって完了された(1つ)または複数の環境アクティビティに関する情報を含む情報を受信するステップを含む環境活動情報は、限定されるものではないが、ホーム。エネルギー、輸送、廃棄物、食品、およびショッピングの情報を含む。この方法はまた、登録されたパートナーおよび/または未登録のエンティティのうちの少なくとも(1つ)を用いて、登録されたユーザによって提供された情報を検証することを含むこの方法はまた、1つ以上のアルゴリズムを用いて、登録されたユーザの各々から受信された情報に基づいて、ユーザの環境活動の各々の推定された環境影響を計算することを含む。方法はまた、登録されたユーザの各々に対する少なくとも(1つ)の環境活動を示唆することを含み、登録されたユーザの環境活動の環境影響を、計算された環境活動の環境影響に基づいて低減することを含む登録ユーザとなる
[012] この方法は、複数のパートナーおよび複数の配布者のうちの少なくとも(1つ)から、少なくとも(1つ)の環境活動記録をリアルタイムで受信することをさらに含む。環境活動レコードは、複数のパートナーによって提供または報告された複数の環境活動および環境法則違反に関連するデータと、複数の配布者によって複数のパートナーに分散された環境活動とを含むと、複数のディストリビュータによって使用され、複数のパートナーに環境活動を分散させるための環境活動とを含む。パートナーによって提供されるおよび/またはディストリビュータによって使用される各環境アクティビティは、環境製品宣言を含むが、これらに限定されない。この方法は、さらに、環境活動および環境法則違反のそれぞれを識別番号に割り当てることを含む本方法はまた、少なくとも(1つ)の環境製品宣言プログラムオペレータ、登録パートナー、または未登録エンティティを有する少なくとも(1つ)の環境活動レコードを検証することを含む。
[013] 本方法はまた、(1)または複数のアルゴリズムを用いて、パートナーによって提供される製品および/またはサービスの検証された環境製品宣言に含まれる環境影響情報と、他のパートナーによって提供される類似の製品およびサービスの検証された環境製品宣言に含まれる情報とに基づいて、製品および/またはサービスのような検証された環境アクティビティの各々のスコアを計算することを含むこの方法はまた、(1つ)または複数のアルゴリズムを用いて、各環境法則違反の環境影響に基づいて、パートナーによって報告された各環境法則違反のスコアを計算することを含む。この方法はまた、1つ以上のアルゴリズムを用いて、パートナーによって提供された検証された環境活動の計算されたスコアと、パートナーの環境法則違反とに基づいて、パートナーの環境信用スコアを計算することを含む。
[014] 本方法はまた、(1つ)または複数のアルゴリズムを用いて、製品および/またはサービスの検証された環境製品宣言に含まれる環境影響情報に基づいて、製品および/またはサービスのような検証された環境アクティビティのそれぞれのスコアを、登録されたパートナーおよび/または未登録エンティティに製品および/またはサービスのような環境アクティビティを配布するために、配布者によって使用される製品および/またはサービスに基づいて計算することを含むの検証された環境製品宣言に含まれる情報を、他のディストリビュータによって使用される同様の製品及び/又はサービスの宣言に含めて、環境活動を分散させる。この方法はまた、1つ以上のアルゴリズムを用いて、ディストリビュータの環境活動および環境法則違反を分配するために、ディストリビュータによって使用される検証された環境活動の計算されたスコアに基づいて、ディストリビュータの環境信用スコアを計算することを含む。
[015] 登録されたユーザによって完了した環境活動に関連するデータを登録されたパートナーのサービスシステムのポイントから受信することも含み、登録されたユーザは、登録されたユーザの環境活動レコードにアクセスするためにサービスシステムのポイントで一意のユーザ識別子を入力し、登録されたパートナーは、登録されたユーザが登録されたユーザを識別し検証し、登録されたユーザによる1つ以上の環境アクティビティの完了を確認する方法は、複数のユーザ、パートナー、および配布者のうちの少なくとも(1つ)の環境活動レコードを、ユーザによって完了された環境活動の各々について一意のユーザ識別子に関連付けられ、ユーザによって完了された環境活動に基づいてそれぞれの環境活動レコードを信用することをさらに含む本方法は、(1)または複数のアルゴリズムを用いて、環境を保護することを目的とする登録ユーザの環境活動の数、カテゴリ、および環境影響を含むが、これらに限定されない要因に基づいて登録ユーザの環境信用スコアを計算することをさらに含み、(b)登録ユーザの環境活動の履歴の長さを含むと、(c)登録されたユーザによって完成された各環境活動の環境製品宣言のスコアと、(d)登録されたユーザの前に登録されたユーザの環境活動に基づいて、サーバコンピュータシステムによって提案されたアクティビティに対する登録ユーザの応答と、(e)登録されたユーザの環境法則違反のタイプおよび数とを含む本方法はまた、ユーザの環境信用スコアを分析して、高い環境クレジットスコアを有する(1)または複数のユーザを決定することを含む。本方法は、登録されたユーザ、登録されたパートナー、および登録された配布者のそれぞれの環境活動記録の下で、ユーザ、パートナー、および配布者の環境信用スコアを公開し、ユーザ、パートナー、および配布者を通知することをさらに含む。
[016] 本方法はまた、環境活動のタイプ、地理的区域、および任意の他の区域を含むが、これらに限定されない様々な区域におけるユーザの環境信用スコアを分析することを含む。本方法はまた、ユーザ、パートナー、および配布者の環境活動記録の下で、ユーザ、パートナー、および配布者の環境信用スコアデータを公開することを含むユーザが他のユーザを参照してサーバコンピュータシステムに登録する際のポイントなどのユーザ利益を付与するステップと、ユーザ、パートナー、および、マーク、標識、または記号を有する高環境クレジットスコアを有する配布者をマーキングするステップとを含む。
[017] 本開示の一態様によれば、登録されたユーザの環境信用スコアは、個人および/または公共および/または随意のセクタおよび/または他のエンティティによって使用され、これらは、これらに限定されないが、雇用決定、大学アドミッション決定、ランディ-テナント決定、および個人、会社への政府の決定を含むが、これらに限定されない及び他の任意のエンティティ、並びに他のエリアにおける環境クレジットスコアを使用することであって、これに限定されるものではないが、サービス、報償、クレジット、又はシュタルシップをユーザに提供又は付与すべきか否かを決定することを含む、他のエリアにおける環境クレジットスコアを使用することを含む。本方法はまた、パートナーに配布され、ユーザによって完了された環境活動に関する情報を備えたディストリビュータを提供することを含む。
[018] 本開示の一態様によれば、登録されたユーザ、登録されたパートナー、および登録された配布者の個人情報および環境活動情報がデータベースに記憶される。
[019] 本開示の一態様によれば、登録されたパートナーおよび配布者の環境信用スコアは、特定の地理的区域、特定の種類の環境活動、特定のカテゴリ、または製品またはサービスの分類のうちの少なくとも(1つ)について計算される。
[020] 本開示の一態様によれば、パートナーおよびディストリビュータの環境クレジットスコアは、政府による企業への決定および他の任意のエンティティを含むがこれらに限定されない領域で使用され得る。
[021] 本開示の一態様によれば、米国特許出願(newyork、(20)、(2011)に記載された環境活動のもとで分類された全ての活動を含む環境活動は、(a)環境保護活動および支出、(b)資源管理活動および支出、および(c)資源使用活動および支出の(3つ)の部分から構成される"環境活動"という用語は、環境を保護することを目的とする全ての活動を指し、これに限定されるものではないが、リサイクルを含み、環境に優しい製品およびサービスを購入し、再生可能な電気、電気自動車、および他の環境に優しい製品およびサービスを使用することを意味する。
[022] 本開示の別の態様によれば、サーバコンピュータシステムおよびモバイルアプリケーションによってホストされるウェブサイトのうちの少なくとも(1つ)を介して、少なくとも(1つ)の地理的位置のパートナーによって提供される製品および/またはサービスを含む環境アクティビティを検索するオプションがユーザに提示される。
[023] 本開示の一態様によれば、パートナーによって提供される環境活動が提案され、促進され、登録されたユーザに対してアクセス可能であり、高いスコアを有する環境活動は、登録されたユーザに対して示唆され昇格されるように優先される。
[024] 本開示の一態様によれば、ユーザの地理的位置が決定され、環境活動は、ユーザからの環境活動のロケーションと、環境活動の環境製品宣言スコアとを含むが、これらに限定されない要因に基づいて、ユーザに提示される。
[025] 本開示の一態様によれば、登録されたユーザの各々についての環境信用スコアが、登録されたユーザの前の登録されたユーザの環境活動の環境的影響と、登録されたユーザの後の少なくとも(1つ)の環境アクティビティに対する登録されたユーザの参加とに基づいて計算することができる。
[026] 本開示の一態様によれば、環境活動の各々は、関連する環境製品宣言を有し、環境製品宣言は、機械可読フォーマットであってよく、特定のプログラムオペレータによって発行されたiso14025および(a)に基づくタイプiiiの環境製品宣言であり、または(b)特定のプログラムオペレータによって、サーバコンピュータシステムが特定の状態、国などのように動作する特定の地理的領域において発行される製品および組織環境フットプリント。カテゴリ。ルール(PEFCR、OEFCR)のための欧州。パイロットを含むが、これらに限定されない統一製品カテゴリ。ルールに基づいて、大陸、または地域または(c)を含むことができる。
[027] 本開示の一態様によれば、高いスコアの環境製品宣言を有する環境活動に参加している(1)または複数のユーザの環境クレジットスコアに、より多くのポイントを追加することができる。
[028] 本開示の一態様によれば、登録されたディストリビュータのディストリビュータは、パートナーに分散された製品及び/又はサービスを含む環境活動を監視し、追跡し、ディストリビュータの環境活動レコードに記憶される。
[029] 本開示の一態様によれば、登録されたディストリビュータの各々についての環境信用スコアは、環境活動およびスコア、登録されたディストリビュータの検証された環境法則違反の数、およびサーバコンピュータシステムの提案に対するディストリビュータの応答を分散するために、登録されたディストリビュータによって使用される検証された環境活動のスコアおよび数を含むが、これらに限定されない要因に基づいて計算され得る。
[030] 本開示の一態様によれば、環境クレジットの高いコアを有するパートナーおよびディストリビュータは、マーク、標識、記号、および/または他の任意の利点によってマークされ得、そして、高い環境のクレジットスコアを有する配布者は、パートナーに示唆される優先順位を与えられ得る。
[031] (1つ)または複数の実施形態によれば、複数のユーザ、パートナー、およびディストリビュータの環境活動に基づく環境クレジットスコアリングのためのシステムが提供される。本システムは、複数のユーザ、パートナー、およびディストリビュータを作成することによって、複数のユーザ、パートナー、およびディストリビュータを登録するように構成された登録モジュールと、複数のディストリビュータ、パートナー、およびユーザのそれぞれにアクセス可能なユーザ環境アクティビティレコードとを備えるサーバコンピュータシステムを含む各ディストリビュータ、パートナー、およびユーザのレコードは、一意のユーザ識別子に関連付けられる。サーバコンピュータシステムはまた、登録ユーザとなる前に、登録されたユーザによって完了した1以上の環境活動についての個人情報および情報を含む登録ユーザから情報を受信し、各環境活動を識別番号に割り当てる送受信モジュールも含む環境活動は、ホーム。エネルギー、輸送、廃棄物、食品、およびショッピングの情報を含むが、これらに限定されない。複数のパートナーの少なくとも(1つ)からの少なくとも(1つ)の環境活動記録を含む受信情報と、リアルタイムで複数のディストリビュータとを含み、前記環境活動レコードは、前記複数のパートナーによって提供または報告された複数の環境活動および環境法則違反に関するデータを含む環境活動を複数のパートナーに分配し、環境活動の各々を複数のパートナーに分配し、環境活動の各々を識別番号に割り当て、登録されたユーザが完了した環境活動に関連するデータを、登録されたパートナーのサービスシステムのポイントから受け取るように構成されている複数のサービス。システムは、登録されたユーザが、登録されたユーザの環境活動レコードにアクセスするように、複数のパートナーの複数のサービス。システムのうちの(1つ)で一意のユーザ識別子を入力することを可能にするように構成され、登録されたユーザが登録されたユーザを識別し検証し、登録されたユーザによる(1つ)または複数の環境活動の完了を確認することを可能にするように構成されるの少なくとも(1つ)から、登録されたユーザの一意のユーザ識別子を含むが、これらに限定されない送信データを送信する
[032] サーバコンピュータシステムはまた、少なくとも(1つ)の環境製品宣言プログラムオペレータ、登録パートナー、または未登録エンティティを有する少なくとも(1つ)の環境活動レコードを検証するように構成された検証モジュールも含む。サーバコンピュータシステムはまた、1つ以上のアルゴリズムを用いて、検証された各環境アクティビティのスコアを計算するように構成された処理モジュールを含む及び他のパートナーによって提供された同様の製品及びサービスの検証された環境製品宣言に含まれる情報、及び他のパートナーによって提供された同様の製品及びサービスの検証された環境製品宣言に含まれる情報に基づいて、製品及び/又はサービスのような製品及び/又はサービスを計算し、1つ以上のアルゴリズムを用いて計算する各環境法則違反の環境影響に基づいてパートナーによって報告された各環境法則違反のスコアを計算し、(1)または複数のアルゴリズムを用いて、パートナーによって提供された検証された環境活動の計算されたスコアと、パートナーの環境法則違反とに基づいて、パートナーの環境信用スコアを計算し、(1)または複数のアルゴリズムを用いて、製品および/またはサービスのような、検証された各環境活動のスコアを計算する製品および/またはサービスのような環境活動を登録されたパートナーおよび/または未登録のエンティティに配布するために配布者によって使用される製品および/またはサービスの検証された環境製品宣言に含まれる環境影響情報に基づいて、他の配布者によって使用される類似の製品および/またはサービスの検証された環境製品宣言に含まれる情報を計算して、環境活動を分散させる(1つ)または複数のアルゴリズムを使用して、配布者によって使用された検証された環境活動の計算されたスコアと、配布者の環境法則違反とに基づいて、配布者の環境信用スコアを計算し、複数のユーザ、パートナー、および配布者のうちの少なくとも(1つ)の環境活動レコードを、ユーザによって完了された環境活動の各々について、一意のユーザ識別子に関連付けられた、識別するユーザが完了した環境活動に基づいて、それぞれの環境活動レコードをクレジットし、(1)または複数のアルゴリズムを用いて、(a)登録されたユーザの環境活動の数、カテゴリ、および環境影響を含むが、これらに限定されない要因に基づいて、登録されたユーザについての環境クレジットスコアを計算する。
(b)登録されたユーザの環境活動の履歴の長さ、(c)登録されたユーザによって完了した各環境活動の環境製品宣言のスコア、(d)登録されたユーザの前に登録されたユーザの環境活動に基づいて、サーバコンピュータシステムによって提案されたアクティビティに対する登録ユーザの応答を示すと、(e)登録されたユーザの環境法則違反のタイプおよび数と、(e)ユーザ、パートナー、およびディストリビュータの環境クレジットスコアを分析して、高い環境クレジットスコアを有する(1)または複数のユーザ、パートナー、およびディストリビュータを決定することとを含む処理モジュールはまた、環境活動、地理的領域、および任意の他の領域のタイプを含むが、これらに限定されない様々な領域におけるユーザ、パートナー、および配布者の環境信用スコアを分析するように構成され、ユーザが他のユーザを参照してサーバコンピュータシステムに登録する際のポイントのような利益をユーザに付与し、マーク、標識、または記号を有する高環境クレジットスコアを有するユーザ、パートナー、および配布者をマークすると、環境活動に参加している(1)または複数のユーザの環境信用スコアに、高いスコアの環境製品宣言でより多くのポイントを追加するステップとを含む。サーバコンピュータシステムはまた、ユーザ、パートナー、および配布者の環境信用スコアを公開し、ユーザ、パートナー、および配布者を通知するように構成された公開モジュールも含む。
[033] 本開示の一態様によれば、サーバコンピュータシステムは、登録されたユーザ、登録されたパートナー、および登録された配布者の個人情報および環境活動情報を記憶するように構成されたデータベースをさらに備える。サーバ。コンピュータ。システムは、サーバ。コンピュータ。システムと通信する複数のポイント。サービス。システムをさらに含む。
[034] 本開示の一態様によれば、処理モジュールは、ユーザが、サーバコンピュータシステムによってホストされるウェブサイトおよびモバイルアプリケーションのうちの少なくとも(1つ)を介して、特定の地理的位置においてパートナーによって提供される製品および/またはサービスのような環境アクティビティを検索することを可能にするようにさらに構成される。環境活動は、環境製品のスコアに基づいてユーザに表示される。
環境活動の各々の宣言であって、高いスコアの環境製品宣言を有する環境活動が最初に表示される。
[035] 本開示の一態様によれば、処理モジュールは、ユーザの地理的位置を決定し、環境活動のユーザおよび環境製品宣言スコアからの環境活動の位置に基づいて、ユーザへの環境活動を提案するようにさらに構成される。
[036] 本開示の一態様によれば、処理モジュールは、全ての検証された環境活動が登録されたパートナーの環境活動記録および/または一定の間隔でクレジットされた後、および/または、登録されたパートナーからの要求に基づいて、パートナーの(1つ)についての環境信用スコアを計算するように構成される。
[037] 本開示の一態様によれば、処理モジュールは、登録されたユーザの前の環境活動の計算された環境影響に基づいて、登録されたユーザの環境活動の環境影響を低減するために、登録されたユーザに対して少なくとも(1つ)の環境活動を示唆するようにさらに構成される登録されたユーザの前に登録されたユーザの環境活動の環境影響と、登録されたユーザの後の少なくとも(1つ)の環境アクティビティにおける登録ユーザの参加とに基づいて、登録されたユーザの各々についての環境クレジットスコアを計算し、複数のユーザの環境クレジットスコアを分析して、高い環境クレジットスコアを有する(1)または複数のユーザを決定する。
[038] 本開示の一態様によれば、処理モジュールは、登録されたパートナーによって提供される検証された環境活動のスコアおよび数、登録されたパートナーの検証された環境法則違反のスコアおよび数、およびサーバコンピュータシステムの提案に対する登録されたパートナーの応答を含むが、これらに限定されない要因に基づいて、登録されたパートナーの環境信用スコアを計算する。
[039] 本開示の一態様によれば、処理モジュールは、環境活動およびスコア、登録された配布者の検証された環境法則違反の数、および登録された配布者の応答をサーバコンピュータシステムの提案に配布するために、登録された配布者によって使用される検証された環境活動のスコアおよび数を含むが、これらに限定されない要因に基づいて、登録された配布者の環境信用スコアを計算する。
[040] 本開示の一態様によれば、処理モジュールは、特定の地理的領域、特定の種類の環境活動、特定のカテゴリ、または製品またはサービスの分類のうちの少なくとも(1つ)について、登録されたパートナーおよび配布者の環境信用スコアを計算する。
[041] 本開示の一態様によれば、パートナーおよび配布者のうちの(1つ)に対する環境信用スコアの計算は、登録されたパートナーの環境活動記録および/または一定の間隔で、および/または登録されたパートナーまたは登録された配布者からの要求に基づいて、登録されたパートナーの環境活動記録および/または一定の間隔でクレジットされた全ての検証された環境活動の後に行われる。
[042] 本発明の様々な実施形態は、以下の詳細な説明および添付図面に提供される。本発明から逸脱することなく、本発明のいくつかの詳細は、様々な点で修正することができ、本発明は、様々な実施形態を可能にすることができるしたがって、本発明の説明および添付図面は、例示としてのみ提供され、添付の特許請求の範囲によって定義される本発明の範囲を制限または定義するものではない。
【図面の簡単な説明】
【０００４】
[043] 本発明の非限定的かつ非網羅的な実施形態は、以下の図面を参照して説明される。図面において、同様の参照番号は、特に指定されない限り、様々な図面全体を通して同様の部分を指す。
[044] 本発明をより良く理解するために、添付の図面に関連して読まれる以下の詳細な説明を参照する。
[045] 図面の簡単な説明
【図１】[図1]または複数の実施形態による、ユーザ、パートナーおよびディストリビュータの環境活動に基づく環境クレジットスコアリングのためのシステム全体の一例を示すブロック図である。[046]
【図２Ａ】[図2]または複数の実施形態による、ユーザ、パートナーおよびディストリビュータの環境活動に基づく環境クレジットスコアリングの方法を示す簡略化されたフローチャートである。
【図２Ｂ】同上[047]
【図３】[図3]一実施形態による、例示的なサーバコンピュータシステムのシステム要素を示すブロック図である。
【０００５】
[048] 本明細書で使用される見出しは、特許請求の範囲または説明の範囲を制限するために使用されることを意図するものではない。本明細書で使用される見出しは、組織の目的のためのものである。理解を容易にするために、図面に共通の同様の要素を指定するために、可能な限り、同様の参照番号が使用されてきた。
【発明を実施するための形態】
【０００６】
[049] 現在開示されている主題は、法定要件を満たすために特異性で説明される。しかし、説明自体は、この特許の範囲を限定することを意図するものではない。さらに、用語"ステップ"は、本明細書で使用される方法の異なる態様を暗示するために使用されてもよいが、この用語は、個々のステップの順序が明示的に記載されている場合を除いて、本明細書に開示された様々なステップの間または間のいずれかの特定の順序を意味するものとして解釈されるべきではない。
[050] 本明細書全体を通して"一実施形態"または"一実施形態"に言及することは、実施形態に関連して記載された特定の特徴、構造、または特性が開示された主題の少なくとも一実施形態に含まれることを意味する。したがって、本明細書全体を通じて様々な場所における"一実施形態で"または"実施形態で"という語句の出現は、必ずしも同じ実施形態を参照するものではない。
[051] 本明細書および添付の特許請求の範囲において使用されるように、単数形"a"、"an"および"the"は、内容がそうでないことを明確に指示しない限り、単数形および複数の指示対象を含むか、そうでなければ単数形を含む。本明細書および添付の特許請求の範囲で使用されるように、"または"という用語は、コンテンツがそうでないことを明確に指示しない限り、"および/または"を含むように一般に用いられる。
【０００７】
[052] 技術分野本発明は、一般に、ユーザ、パートナー、およびディストリビュータの環境活動に基づく環境クレジットスコアリングのための方法およびシステムに関する。
[053] 本明細書中で使用されるように、"環境活動"という用語は、分類(ニューヨーク、(20)、(2011)に適合する米国特許専門家グループに記載されているように、環境活動の分類によって分類された全ての活動を指し、(a)環境保護活動および支出、(b)資源管理活動および支出、および(c)資源使用活動および支出の(3つ)の部分からなる"環境活動"という用語は、環境を保護することを目的とする全ての活動を指し、これに限定されるものではないが、リサイクルを含み、環境に優しい製品およびサービスを購入し、再生可能な電気、電気自動車、および他の環境に優しい製品およびサービスを使用することを意味する。
[054] (1)または複数の実施形態による、複数のユーザ(130)、複数のパートナー(110)、および複数のディストリビュータ(120)の環境活動に基づく環境信用スコアリングのためのシステム全体を示す概略ブロック図である。図(1)は、環境信用スコアリングのためのシステム(100)を概略的に示すシステム(100)は、複数のパートナー(110)、ディストリビュータ(120)、およびユーザ(130)とネットワーク(140)を介してユーザインタフェース(150)を介して通信するサーバコンピュータシステム(160)を含み、ユーザ(130)は、環境クレジットスコアリングのためにサーバコンピュータシステム(160)に登録されたエンティティであって、パートナー(110)によって提供される環境アクティビティを完了することができ、ユーザ(130)は、個人、および/またはビジネス、および/または任意の他のエンティティとすることができるパートナー(110)は、サーバコンピュータシステム(160)のユーザ(130)に環境活動を提供するためにサーバコンピュータシステム(160)に登録された任意のエンティティであってもよいし、サーバコンピュータシステム(160)のユーザ(130)への環境活動を提供し、または、サーバコンピュータシステム(160)へのユーザ(130)の環境活動に関するデータを送信するために、サーバコンピュータシステム(160)への他の情報を報告してもよいパートナー(110)は、ビジネスおよび/または非営利機関、および/または政府機関、および/または任意の他のエンティティとすることができる。配布者(120)は、環境信用スコアリングのためにサーバコンピュータシステム(160)に登録されたエンティティであってもよく、サーバコンピュータシステム(160)のパートナー(110)に環境活動を分散させ、ユーザ(130)の環境活動データをサーバコンピュータシステム(160)に送信しないようにしてもよいディストリビュータ(120)は、ビジネス、及び/又は非営利機関、及び/又は政府機関、及び/又は、製品メーカ、ミドル機関、又はサービス及び/又は製品を配信する任意のエンティティを含むが、これらに限定されない他の任意のエンティティとすることができる。
[055] ネットワーク(140)は、インターネットまたはネットワークの組合せ、または、ローカルイントラネット、ローカルエリアネットワーク(LAN)、およびワイドエリアネットワーク(WAN)を含むが、これらに限定されないデバイス間でデータを通信することができる任意の他のネットワークを含むことができる。サーバコンピュータシステム(160)のパートナー(110)は、サービスシステムを使用してサーバコンピュータシステム(160)と通信することができる。
[056] サービス。システム(図示せず)のポイントは、サーバ。コンピュータ。システム(160)のパートナー(110)が、複数の環境活動が完了したパートナー(110)の位置でユーザ(130)の環境活動を処理し、確認することを可能にするサービス。ソフトウェアおよびサービス。ハードウェアのポイントの組み合わせであってもよい様々な実施形態によれば、サービス。システムのポイントは、(a)サーバ。コンピュータ。システム(160)に様々なデータを収集し送信するように構成することができ、(b)バーコード。スキャナ、rfidおよび電子タグ。リーダ、および/または、サービス。システムのポイントによって読み取ることができる他の任意の装置のようなユーザの識別カードまたは装置から情報を読み取る。(c)カメラを含むが、これらに限定されない様々な装置を使用して個人を識別または検証する、タッチスクリーン装置、及び指紋読み取り器、静脈読取装置、顔認識及び手の幾何学的形状などのバイオメトリックを取得すること、(d)サーバコンピュータシステム(160)と通信することによってユーザ(130)の環境クレジットデータをチェックすること、(e)ユーザ(130)の環境活動を記録し、報告を印刷すること、及び/又は(f)本明細書に記載されるサービスシステムのポイントの機能を実行することを含む。
[057] サービス。システムのポイントは、パートナー(110)のロケーションでユーザ(130)から収集された環境活動のタイプに基づいて様々な形態とすることができ、サービス。システムのポイントは、逆販売機、ウェブサイト、モバイル。アプリケーション、および他の形態の形態であることができる非限定的な例として、パートナー(110)のパートナーのサービスシステムのポイントは、本明細書に記載された機能を実行するソフトウェアおよび/またはハードウェアによって構成されたプロセッサを有する逆販売機の形態とすることができる。非限定的な例として、、パートナー(110)のサービスシステムのポイントは、本明細書に記載の機能を実行するためにソフトウェアによって構成されたプロセッサを有するサーバコンピュータシステム(160)によってホストされるウェブサイトまたはモバイルアプリケーションの形態であってもよく、パートナーのウェブサイトおよび/またはモバイルアプリケーションにおいてユーザ(130)のユーザによって完了した環境活動を確認することができる非限定的な例として、パートナー(110)のサービス。システムのポイントは、パブリック。エリアを含む実質的にどこにインストールすることができ、本明細書に記載された機能を実行するソフトウェアによって構成されたプロセッサを有するデバイスの形態とすることができる。非限定的な例として、パートナーのサービス。システムのポイントは、本明細書で説明される機能を実行するためにソフトウェアによって構成されたプロセッサを有するポータブル。デバイスの形態とすることができる非限定的な例として、パートナー(110)のサービス。システムのポイントは、パートナーによって使用されて、パートナーによって提供される環境に優しい製品およびサービスを購入することを含むが、これらに限定されない、ユーザの購入活動を確認することができるポイントオブ販売(POS)の形態とすることができる。サービス。ハードウェアのポイントは、本明細書に記載された機能を実行するためにソフトウェアによって構成されたプロセッサを有する任意の販売ポイント(POS)ハードウェアを含むことができる非限定的な例として、サービス。ハードウェアのポイントは、限定されるものではないが、fufusu、ingenco、datalologic、honeywellscanningandmobility、Bitel、Keycorp、Vantiv、firstdata、wirerd、atosworldline、Equinox、NCR、
発明の開示発明が解決しようとする課題本発明で説明される機能を実行するためにソフトウェアによって構成されたプロセッサを有する、キャスト。テクノロジー。スパッチ。支払い、トースト。POS、および正方形が含まれる。
[058] システム(100)のディストリビュータ(120)、パートナー(110)およびユーザ(130)は、モバイルデバイス、ワークステーション、携帯電話、パーソナルコンピュータ、スマートフォン、タブレットコンピュータ、ラップトップコンピュータ、スマート時計、またはサーバコンピュータシステム(160)と通信することができる他の任意のタイプのコンピューティング装置を含むが、これらに限定されないコンピューティングデバイスを使用して、サーバコンピュータシステム(160)と通信することができるいくつかの実施形態では、サーバコンピュータシステム(160)は、インターネットなどのネットワーク(140)を介して、ディストリビュータ(120)、パートナー(110)、およびユーザ(130)によってアクセス可能な(1つ)または複数のウェブサイトをホスティングするウェブサーバを含む。
[059] サーバ。コンピュータ。システム(160)は、プロセッサまたは複数のプロセッサを有するコンピュータまたは複数のコンピュータと、コンピュータ。プログラムまたは複数のコンピュータ。プログラムがコンピュータ可読記憶媒体に記憶され、本明細書に記載された機能を実行する実行可能命令を有する、コンピュータ。ハード。ドライブまたは複数のメモリ、コンピュータ。ハード。ドライブ、およびリムーバブル。ドライブを含むが、これらに限定されないコンピュータ可読記憶媒体を含むことができる。
[060] 図(2a)および図(2B)は、(1つ)または複数の実施形態による、ユーザ、パートナー、およびディストリビュータの環境活動に基づく環境クレジットスコアリングの方法を示すフローチャート(200)を示す。図(1)を参照して説明したように、ユーザ(130)、ディストリビュータ(120)、およびパートナー(110)は、ネットワーク(140)を介してサーバコンピュータシステム(160)と対話することができる。
[061] ステップ(202)において、パートナー(110)の新たなパートナー、ディストリビュータ(120)のディストリビュータ、およびユーザ(130)のユーザは、好ましくは、サーバコンピュータシステム(160)によってホストされるウェブサイトを介して、サーバコンピュータシステム(160)に登録され、各ディストリビュータ(120)、パートナー(110)、およびユーザ(130)は、一意のユーザ識別子を割り当てられる。一意のユーザ識別子は、例えば、とすることができる、数字、記号、アルファベット、または、サーバコンピュータシステム(160)によって割り当てられた文字および番号の任意の組み合わせ、ユーザ(130)によって選択された他の番号、またはユーザの電話番号を含む。サーバコンピュータシステム(160)は、ディストリビュータ(120)、パートナー(110)、およびユーザ(130)のそれぞれについて、各固有のユーザ識別子を含むレコード()または環境レコード)を生成することができ、ユーザ(130)は、ディストリビュータ(120)、パートナー(110)およびユーザ(130)のそれぞれの一意のユーザ識別子を含むディストリビュータ(120)、パートナー(110)、およびユーザ(130)のレコードは、サーバコンピュータシステム(160a)のデータベースに格納されてもよく、いくつかの実施形態では、レコードは、リモートデータベースに格納されてもよい。
[062] ステップ(204)において、サーバコンピュータシステム(160)は、登録ユーザとなる前に、ユーザが完了した環境活動の情報を収集する。データは、ユーザをサーバ。コンピュータ。システム(160)に登録する間、または登録した後に、サーバ。コンピュータ。システム(160)によってユーザから収集することができるユーザから収集されたデータ/情報は、限定されるものではないが、個人情報、ユーザの環境活動に関する情報、例えば、家庭エネルギー、輸送、廃棄物、食品、買い物などの情報を含むが、これらに限定されない。サーバコンピュータシステム(160)は、登録されたパートナーおよび/または未登録のエンティティを用いて、ユーザによって提供されたデータを検証することができるサーバ。コンピュータ。システム(160)は、ユーザから収集されたデータに基づいて、ユーザの環境活動に対する推定された環境影響を、1つ以上のアルゴリズムを用いてさらに計算することができる。サーバ。コンピュータ。システム(160)は、登録されたユーザである前に完了したユーザの環境活動の環境影響を利用して、1つ以上の環境活動をユーザに提案する提案された環境活動は、環境に対するユーザの環境活動の環境影響を低減することを目的とすることができる。
[063] 非限定的な例として、サーバコンピュータシステムは、再生可能な電気の使用、特定の電気自動車の使用、登録されたパートナーまたは未登録のエンティティによって提供される任意の他の環境に優しい製品および/またはサービスの使用をユーザに示唆することができるサーバコンピュータシステム(160)は、登録ユーザである前のユーザの環境活動の環境影響と、サーバコンピュータシステム(160)が示唆する環境活動におけるユーザの参加とを使用することができる。
ユーザに対する環境信用スコアの計算において、登録されたユーザである。登録されたユーザである前に、または登録プロセス中にユーザから収集される前に、ユーザによって完了した環境活動に関する情報は、サーバコンピュータシステム(160)のデータベース内のユーザの記録に記憶される。
[064] いくつかの実施形態では、データは、パートナー(110)によって提供または報告された複数の環境活動、例えば、ユーザ(130)、パートナー(110)およびディストリビュータ(120)の環境則違反、パートナー(110)によって報告された他の活動、および/または、パートナー(110)によって製品およびサービスのようなユーザ(130)に提供される環境活動に関連するいくつかの実施形態では、登録されたディストリビュータによってサーバコンピュータシステム(160)に送信されるデータは、ディストリビュータ(120)によってパートナー(110)に配布された製品及び/又はサービスのような環境活動に関連するデータと、ディストリビュータ(120)によって使用される製品及び/又はサービスのような環境活動とを含んで、環境活動をパートナー(110)に配信することができるサーバ。コンピュータ。システム(160)は、(1つ)または複数の環境活動の複数のカテゴリから選択するために、サーバ。コンピュータ。システム(160)によってホストされるウェブサイトを介して登録されたパートナー(110)および/または登録された配布者(120)を提供することができ、その提供、報告、配布および/または使用のための環境活動のオンライン情報をリストし、充填することができる。
[065] ステップ(208)において、サーバコンピュータシステム(160)は、登録されたディストリビュータ及び/又は登録されたパートナーからデータを受信し、各環境アクティビティに識別番号を割り当て、サーバコンピュータシステム(160a)のデータベースに記憶し、サーバコンピュータシステム(160)は、各環境アクティビティのカテゴリに基づいて、登録されたディストリビュータ及び/又は登録されたパートナーのレコードにデータを記憶し、リストする。
[066] パートナー(110)は、サーバコンピュータシステム(160)にデータを送信することができ、パートナー(110)は、パートナー(110)によって提供及び/又は報告された環境活動に関連するデータをサーバコンピュータシステム(160)に送信することができ、各パートナー(110)は、サーバコンピュータシステム(160)に登録される各パートナー(1)によって送信される各環境アクティビティのデータは、これらに限定されないが、パートナー(110)の一意のユーザ識別子、および環境アクティビティが送信された地理的ロケーション、環境製品宣言を含むがこれらに限定されない、送信された環境アクティビティに関する情報を含むことができるおよび/またはその法則を侵害したユーザおよび/またはパートナー(110)および/またはディストリビュータ(120)に関する情報を含むローカルおよび/または国際環境法則違反の情報を含む。情報は、限定されるものではないが、課税支払者識別番号、名前、および住所を含むことができる。
[067] 環境製品宣言は、機械可読フォーマットであってもよい。パートナー(110)は、サーバコンピュータシステム(160)に、環境製品宣言の登録番号、および/または環境製品宣言プログラムオペレータおよび/または他の情報の情報を提供することができる環境製品宣言は、好ましくは、特定のプログラムオペレータによって発行されたiso14025、(a)に基づくタイプiiiの環境製品宣言であり、(b)特定のプログラムオペレータによって、特定の状態、国、大陸、または地域、または(c)のような特定の地理的区域において、製品および組織環境フットプリントカテゴリ規則(PEFCR、OEFCR)のための欧州パイロットに限定されない統一製品カテゴリ規則に基づいて発行されるサーバ。コンピュータ。システムは、パートナー(110)から要求して、サーバ。コンピュータ。システム(160)によって選択された特定のベリファイアによって検証された送信された環境製品宣言を取得することができる。
[068] 製品及び/又はサービスのiso14025に基づくタイプiiiの環境製品宣言は、企業、製品及び/又はサービスに関する情報に限定されない情報を含む。環境影響は、地球温暖化ポテンシャル、成層圏オゾン層の枯渇電位、陸上の酸性化電位、水の酸性化電位、富栄養ポテンシャル、対流圏オゾン光化学酸化剤の形成電位を含むが、これらに限定されない、化石資源に対する非生物枯渇可能性、ヒト毒性、新鮮な水水生エコ毒性、海洋水生エコ毒性、および地上エコ毒性を含むが、これらに限定されない資源使用は、再生可能な一次エネルギー資源の使用、再生可能な一次エネルギー資源の全使用、非再生可能な一次の使用、二次物質の使用、および再生可能な二次燃料の使用を含むが、これらに限定されない、非危険性廃棄物、および放射性廃棄物が配置されており、他の情報は、再使用のための構成要素、リサイクルのための材料、エネルギー回収のための材料、およびエクスポートされたエネルギーを含むが、これらに限定されない。
[069] ステップ(210)において、サーバコンピュータシステム(160)は、パートナー(110)によって提供または報告された各環境活動および環境法則違反を検証し、各環境活動は、ディストリビュータ(120)によってパートナー(110)に配布され、各環境活動は、配布者(120)によって使用され、環境活動をパートナー(110)に分配し、各検証された環境活動および環境法則違反をマークするサーバ。コンピュータ。システム(160)は、プログラム。オペレータと通信して、パートナー(110)およびディストリビュータ(120)によって送信された製品および/またはサービスの環境製品宣言を検証することができる。サーバ。コンピュータ。システム(160)は、登録されたパートナー(110)または未登録のエンティティと通信して、特定のパートナー(110)、ディストリビュータ(120)および/またはユーザ(130)の環境則違反を検証することができる。
[070] ステップ(212)において、サーバコンピュータシステム(160)は、パートナー(110)によって提供される製品および/またはサービスの検証された環境製品宣言に含まれる情報と、パートナー(110)によって提供される製品および/またはサービスの検証された環境製品宣言に含まれる情報と、他のパートナー(110)によって提供される類似の製品およびサービスの検証された環境製品宣言に含まれる情報とに基づいて、パートナー(110)によって提供される製品および/またはサービスのような検証された環境アクティビティのそれぞれについてスコアを1つ以上のアルゴリズムを用いて計算するの検証された環境製品宣言に含まれる情報に基づいて、製品および/またはサービスの検証された環境製品宣言に含まれる情報に基づいて、製品および/またはサービスのような検証された環境アクティビティごとにスコアを1つ以上のアルゴリズムを用いて計算し、製品および/またはサービスのような環境アクティビティを登録されたパートナーおよび/または未登録エンティティに配布するために、配布者が使用する製品および/またはサービスの検証された環境製品宣言に含まれる情報に基づいて、パートナー(110)に環境活動を分散させるの検証された環境製品宣言に含まれる情報と、他のディストリビュータによって使用される同様の製品及び/又はサービスの宣言に含まれる情報とを比較して、環境活動を分散させるステップと、を含む。
各環境法則違反の環境影響に基づいて、パートナー(110)によって報告された各検証された環境法則違反のスコアを1つ以上のアルゴリズムを用いて計算する。さらに、高いスコアを有するパートナーのlo環境活動は、ユーザ(130)に昇格される優先度を与えることができるいくつかの実施形態では、パートナー(110)によって提供される検証された環境活動のスコアおよび数、パートナー(110)の環境則違反、およびサーバコンピュータシステム(160)の提案に対するパートナー(110)の応答は、パートナー(110)の環境信用スコアを計算するために使用されるディストリビュータ(120)によって使用される検証された環境活動のスコアおよび数、ディストリビュータ(120)の環境則違反、およびサーバコンピュータシステム(160)の提案に対するディストリビュータ(120)の応答は、ディストリビュータ(120)の環境クレジットスコアを計算することであるパートナー(110)および配布者(120)の環境信用スコアは、特定の地理的領域および/または特定の種類の環境活動および/または特定のカテゴリまたは製品またはサービスの分類について計算することができる。サーバコンピュータシステム(160)は、高いスコアの環境製品宣言を有する環境活動に参加するユーザ(130)の環境クレジットスコアおよび/またはパートナー(110)およびディストリビュータ(120)をマークすることにより、より多くのポイントを追加することができる高環境のクレジットは、マーク、記号、記号、および/または他の任意の利点を有する。パートナー(110)および配布者(120)の環境信用スコアは、企業および他の任意のエンティティへの政府による決定を含むが、これらに限定されない領域で使用することができる
[071] ステップ(214)において、先にサーバコンピュータシステム(160)に登録されているユーザ(130)は、パートナー(1)と登録し、パートナー(110)にユーザの一意のユーザ識別子を提供し、パートナー(110)のサービスシステムにおける環境アクティビティを完了する。ユーザ(130)は、サービスシステムの時点で、キーパッドまたは他の入力デバイス上に一意のユーザ識別子を入力し、またはウェブサイトまたはモバイルアプリケーションにログインすることができる代替的に、ユーザ(130)は、識別カード、バーコード、rfidまたは電子タグ、および/または、ユーザ(130)を識別または検証し、ユーザ(130)の一意のユーザ識別子を決定するために、サービスシステムのポイントによって読み取られ得る他の任意の装置を使用することができ、サービスシステムのポイントは、様々な装置および技術を使用してユーザ(130)を識別または検証することもできる。
限定されるものではないが、カメラ、タッチ。スクリーン。デバイス、および指紋読み取り器、静脈読取器、顔認識および手の幾何学的形状などの生体認証を含む。
[072] パートナー(110)のサービス。システムのポイントは、情報をサーバ。コンピュータ。システム(160)に送信することができ、情報は、ユーザ(130)によって完了した環境活動の情報、ディストリビュータ(120)および/またはユーザ(130)の固有のユーザ識別子、ならびにパートナー(110)、各環境活動の識別番号、環境活動の数、および地理的位置を含むが、これらに限定されない。
[073] ステップ(216)において、サーバコンピュータシステム(160)は、パートナー(110)のサービスシステムのポイントからデータを受信し、その情報を処理する。ユーザ(130)によって完了した各環境アクティビティのデータから、サーバコンピュータシステム(160)は、ディストリビュータ(120)、ユーザ(130)、およびパートナー(110)の一意のユーザ識別子に関連付けられた環境アクティビティレコードを識別し、ディストリビュータ(120)、ユーザ(130)のそれぞれの環境アクティビティレコードをクレジットすると、ユーザ(130)によって完了した環境活動の情報に基づくパートナー(110)とを含み、ディストリビュータ(120)は、パートナー(110)に分散された製品及び/又はサービスのような環境活動を監視し追跡することができ、ディストリビュータ(120)の環境活動記録に記憶される。
[074] ステップ(218)において、サーバコンピュータシステム(160)は、ユーザ(130)のレコードの下でクレジットされた環境活動データに基づいて、1つ以上のアルゴリズムを使用してユーザの環境クレジットスコアを計算する。いくつかの実施形態では、ユーザ(130)の環境クレジットスコアは、特定の地理的領域および/または特定の製品および/またはサービスカテゴリなどについて計算されてもよいいくつかの実施形態では、ユーザ(130)に対する環境信用スコアの計算は、環境を保護することを目的とするユーザ(130)の環境活動の数、カテゴリおよび環境影響、(b)ユーザ(130)の環境活動の履歴の長さ、(c)ユーザ(130)によって完了した各環境活動の環境製品宣言のスコアを含むが、これらに限定されない要因を考慮することによって行うことができる、(d)ユーザ(130)の応答を、登録ユーザである前のユーザ(130)の環境活動に基づいて、サーバコンピュータシステム(160)によって示唆されたアクティビティに変換し、(e)ユーザ(130)の環境法則違反のタイプおよび数を計算するユーザ(130)に対する環境信用スコアの計算は、ユーザ(130)の環境活動記録にクレジットされた環境活動のすべておよび/または規則的な間隔で、および/またはユーザ(130)および/またはパートナー(110)からの要求に基づいて行われてもよい。
[075] ステップ(220)において、サーバコンピュータシステム(160)は、ユーザ(130)、パートナー(110)、およびディストリビュータ(120)の環境信用スコアを分析して、高い環境クレジットスコアを有する(1)または複数のユーザ、パートナー、およびディストリビュータを決定する。分析は、環境活動、地理的区域、および任意の他の区域のカテゴリを含むが、これらに限定されない様々な区域で行うことができるサーバコンピュータシステム(160)は、ユーザ(130)の環境信用スコアに関する情報、利用可能な利益、環境信用スコア計算のための新しい規則などをユーザ(130)と交換することができる。
[076] ステップ(222)において、サーバコンピュータシステム(160)は、ユーザ(130)、パートナー(110)、およびディストリビュータ(120)の環境活動記録の下で、ユーザ(130)、パートナー(110)およびディストリビュータ(120)の環境クレジットスコアデータをそれぞれ発行し、ユーザ(130)、パートナー(110)およびディストリビュータ(120)に通知し、ユーザ(130)、パートナー(110)およびディストリビュータ(120)をマーク、記号または記号で高い環境クレジットスコアを有するユーザ(130)、パートナー(110)およびディストリビュータ(120)に通知するサーバコンピュータシステム(160)は、ユーザ(130)、パートナー(110)およびディストリビュータ(120)からシステムメッセージおよび提案への応答を受信することができる。
[077] ユーザ(130)の環境信用スコアは、個人および/または公共および/または自発的セクタおよび/または任意のセクタおよび/または他のエンティティによって、これらに限定されるものではないが、使用決定、大学アドミッション決定、およびランドロード-テナント決定、個人、会社、および他の任意のエンティティへの政府の決定を含むが、これらに限定されない他のエンティティによって使用することができるまた、ユーザ(130)の環境クレジットスコアは、サービス、報償、クレジット、シュルードがユーザ(130)に提供されるか又は付与されるべきかを決定することを含むが、これらに限定されない、消費者の生活に影響を与える他の領域でも使用することができる。
[078] いつでも、サーバ。コンピュータ。システム(160)は、その環境活動において、パートナー(110)、ディストリビュータ(120)、およびユーザ(130)に情報を提供することができる。情報は、好ましくは、サーバコンピュータシステム(160)によってホストされるウェブサイト上に表示され、情報は、テキストおよび/またはグラフの形態で表示され得る。情報は、環境活動に関する履歴データ、環境信用スコア、および環境信用報告を含むことができるが、これらに限定されない環境活動に関する履歴データは、環境活動の数、種類、時間、日付および位置、および各環境活動に対する環境影響情報を含むが、これらに限定されない。環境信用報告は、パートナー(110)、分配器(120)、またはユーザ(130)の環境信用活動および現在の環境クレジット状況に関する情報を有するステートメントである環境信用報告は、(a)名前、住所、生年月日、社会保障番号、国識別番号、パスポート番号、電話番号、ビジネス名、ビジネス登録番号連絡先情報、提供された環境活動、雇用者識別番号、及び(b)ユーザ及びパートナーのレコードに記憶された現在及び履歴の環境クレジット活動に関する情報を含むことができるが、これらに限定されないサーバ。コンピュータ。システム(160)は、ユーザ、パートナー、およびディストリビュータが、サーバ。コンピュータ。システムにアクセスし、ユーザ(130)、パートナー(110)、およびディストリビュータ(120)によって操作されるクライアント。デバイス上の登録されたユーザ、パートナー、および配布者の環境活動に関する情報を、サーバ。コンピュータ。システムにアクセスすることを可能にすることができる。
[079] サーバコンピュータシステム(160)は、ユーザ(130)が、特定のまたは任意の地理的位置におけるパートナー(110)のパートナーによって提供される製品および/またはサービスのような環境アクティビティを検索することを可能にすることができ、ユーザ(130)が、特定のまたは任意の地理的位置における製品および/またはサービスのような環境アクティビティを検索することを可能にするオプションが、サーバコンピュータシステム(160)によってホストされるウェブサイトおよび/またはモバイルアプリケーションを介して、ユーザに提供され得るサーバコンピュータシステム(160)は、各環境活動の環境製品宣言のスコア、および環境活動の位置を含むがこれらに限定されない多くの要因に基づいて、製品および/またはサービスのような環境活動を検索するユーザ(130)に結果を表示する。いくつかの実施形態では、高いスコアの環境製品宣言を伴う1つ以上の環境活動を、ユーザ(130)に昇格または示唆することができる例えば、高いスコアの環境製品宣言を伴う環境活動を最初に表示することができる。サーバコンピュータシステム(160)は、ユーザの地理的位置を決定し、ユーザ(130)からのその位置およびその環境製品宣言スコアに基づいて、ユーザ(130)への環境活動を示唆することができる。
[080] 非限定的な例として、輸送会社は、パートナー(110)としてサーバコンピュータシステム(160)に登録し、環境に優しい製品またはサービスをユーザ(130)に提供することができる輸送会社によってパートナーとして提供されるサービスは、限定されるものではないが、エネルギー源として100%の再生可能な電気を使用する電気自動車の使用を含むことができ、ここで、パートナーによって提供される各サービスまたは製品に対する環境製品宣言は、サーバコンピュータシステム(160)によって検証され、受け入れられることが要求される運送会社のサービスシステムのポイントは、ウェブサイトまたはモバイルアプリケーションの形態とすることができ、ユーザ(130)は、電気自動車の使用をオンラインで注文し、ユーザ(130)の固有のユーザ識別子を運送会社に提供することができるパートナー(110)としての輸送会社は、ウェブサイトまたはモバイルアプリケーションを介してリアルタイムでユーザ(130)を識別し検証することができ、サーバコンピュータシステム(160)への運転活動のようなユーザの環境保護活動に関する情報を送信することができる。情報は、限定されるものではないが、車両、マイル駆動およびエネルギー使用の情報を含むことができるパートナー(110)としての輸送会社は、ユーザ(130)が車両を使用またはピックアップする際に、ユーザ(130)を識別し検証することができる。運送会社は、これに限定されるものではないが、自動車レンタル会社と、uberやlyftのような乗車用企業と、他の乗り物用hassおよび運送用ネットワーク会社プラットフォームとを含む。運送会社は、ユーザ(130)にサービスを提供することができる。
100%の再生可能な電気を使用する電気自動車を使用するリサイクルトリップを含むが、これらに限定されない製品。
[081] 図は、本開示の一実施形態による、例示的なサーバコンピュータシステムのシステム要素を示すブロック図300である。図示のように、サーバコンピュータシステムは、主に、登録モジュール、送受信モジュール、検証モジュール、処理モジュール、データベース、および公開モジュールを含む登録モジュール(304)は、複数のユーザ、パートナー、およびディストリビュータをサーバコンピュータシステム(302)に登録するように構成され、ユーザ、パートナー、および配布者の各々に一意のユーザ識別子を割り当てることによって、サーバコンピュータシステム(302)に登録する。登録モジュール(304)は、登録されたユーザ、パートナー、及びディストリビュータの各々についての環境活動レコードをさらに作成する登録モジュール(304)はまた、登録されたユーザ、パートナー、および配布者の環境活動レコードの各々を、ユーザの固有のユーザ識別子と関連付けて、関連付けられた一意のユーザ識別子とともにデータベース(312)に記憶する。
[082] 送受信モジュール(306)は、登録されたユーザとなる前に登録されたユーザによって完了した(1つ)または複数の環境活動についての個人情報および情報を含む登録ユーザから情報を受信し、環境活動の各々を識別番号に割り当てるように構成され、環境活動情報は、ホームエネルギー、輸送、廃棄物、食品および買い物の情報を含むが、これらに限定されない。
[083] また、送受信モジュール(306)は、登録されたユーザによって完了した環境活動に関するデータを登録されたパートナーのサービスシステムのポイントから受信するように構成され、登録されたユーザは、登録されたユーザの環境活動レコードにアクセスするように、サービスシステムのポイントで一意のユーザ識別子を入力し、登録されたパートナーは、登録されたユーザを識別し検証して、ユーザによる1つ以上の環境活動の完了を確認する。
[084] いくつかの実施形態では、送受信モジュール(306)は、複数のパートナーのうちの少なくとも(1つ)から少なくとも(1つ)の環境活動記録を受信するようにさらに構成され、リアルタイムで分配器を含む。環境活動レコードは、複数のパートナーによって提供または報告された複数の環境活動および環境法則違反に関連するデータと、複数の配布者によってパートナーに配布された環境活動とを含むことができると、複数のディストリビュータによって使用され、複数のパートナーに環境活動を分散させるための環境活動とを含む。各パートナーによって送信される各環境アクティビティのデータは、これらに限定されないが、パートナーの一意のユーザ識別子と、環境アクティビティが送信された地理的位置、環境製品宣言を含むがこれらに限定されない環境アクティビティに関する情報を含むことができるが、これらに限定されないおよび/またはその法則に違反したユーザおよび/またはパートナーおよび/または配布者に関する情報を含むローカルおよび/または国際環境法則違反の情報を含む。情報は、限定されるものではないが、課税支払者識別番号、名前、および住所を含むことができる。
[085] 検証モジュール(308)は、少なくとも(1つ)の環境活動および受信された情報を、少なくとも(1つ)の環境製品宣言プログラムオペレータ、登録されたパートナーおよび未登録エンティティと照合するように構成される。検証モジュール(308)は、パートナによって提供または報告された各環境アクティビティおよび環境法則違反を検証し、各環境アクティビティは、ディストリビュータによってパートナーに配布されると、前記ディストリビュータによって使用され、前記パートナーに環境活動を分散させ、各検証された環境活動及び環境法則違反をマークするために使用される各環境活動とを含む。検証モジュール(308)は、プログラムオペレータと通信して、パートナーによって送信された製品及び/又はサービスの環境製品宣言を検証することができるいくつかの実施形態では、検証モジュール(308)は、パートナー、配布者および/またはユーザの(1つ)の環境法則違反を検証するために、登録されたパートナーまたは未登録のエンティティと通信することができる。政府エンティティ、消費者報告機関、環境製品宣言プログラムオペレータ、および他のエンティティは、パートナーとして動作することができる検証モジュール(308)はまた、少なくとも(1つ)の環境製品宣言プログラムオペレータ、登録パートナーまたは未登録エンティティを有する少なくとも(1つ)の環境活動レコードを検証するように構成される
[086] 処理モジュール(310)は、(1つ)または複数のアルゴリズムを用いて、パートナーによって提供された製品および/またはサービスの検証された環境製品宣言に含まれる情報と、他のパートナーによって提供される類似の製品およびサービスの検証された環境製品宣言に含まれる情報とに基づいて、製品および/またはサービスの検証された環境製品宣言に含まれる情報に基づいて、製品および/またはサービスの検証された環境製品宣言に含まれる情報に基づいて、製品および/またはサービスのような検証された環境アクティビティごとにスコアを1つ以上のアルゴリズムを用いてパートナーに配布し、製品および/またはサービスのような環境アクティビティを登録されたパートナーおよび/または未登録エンティティに配布するために配布者によって使用されるサービスを提供すると、他のディストリビュータによって使用される同様の製品及び/又はサービスの検証された環境製品宣言に含まれる情報とを比較して、環境活動を分散させ、各環境法則違反の環境影響に基づいて、パートナーによって報告された各検証された環境法則違反についてのスコアを(1つ)又は複数のアルゴリズムを用いて計算することを含む。
[087] 一実施形態では、処理モジュール(310)は、登録されたユーザとなる前に、登録されたユーザによって完了した環境活動の推定された環境影響を、1つ以上のアルゴリズムを用いて計算するようにも構成される。
[088] 一実施形態では、処理モジュールは、または複数のアルゴリズムを用いて、パートナーによって提供される検証された環境活動のスコアおよび数、パートナーの環境則違反、およびサーバコンピュータシステムの提案に対するパートナーの応答を含むが、これらに限定されない要因に基づいて、パートナーの環境信用スコアを計算するように構成される。
[089] 一実施形態では、処理モジュール(310)はまた、1つ以上のアルゴリズムを用いて、分配器によって使用される検証された環境活動のスコアおよび数、ディストリビュータの環境則違反、およびサーバコンピュータシステムの提案に対するディストリビュータの応答を含むが、これらに限定されない要因に基づいて、分配器の環境信用スコアを計算するように構成される。
[090] さらに、処理モジュール(310)は、ユーザによって完了した環境活動の各々について一意のユーザ識別子に関連付けられた複数のユーザ、パートナー、および配布者のうちの少なくとも(1つ)の環境活動記録を識別し、ユーザによって完了した環境活動に基づいてそれぞれの環境活動レコードをクレジットするように構成される。
[091] いくつかの実施形態では、処理モジュール(310)は、(a)環境を保護することを目的とするユーザの環境活動の数、カテゴリおよび環境影響、および(b)ユーザの環境活動の履歴の長さを含むが、これらに限定されない要因に基づいて、登録されたユーザの環境信用スコアを1つ以上のアルゴリズムを用いて計算するように構成される、(c)ユーザによって完成された各環境アクティビティの環境製品宣言のスコア、(d)ユーザの環境活動に基づいてサーバコンピュータシステムによって提案されたアクティビティに対するユーザの応答、および(e)ユーザの環境法則違反のタイプおよび数を含む。
[092] いくつかの実施形態では、処理モジュールは、1つ以上のアルゴリズムを使用して、パートナーの環境信用スコアを計算することができる。環境活動の各々は、関連する環境製品宣言を有し、環境製品宣言は、機械可読フォーマットであってよく、特定のプログラムオペレータによって発行されたiso(14025)および(a)に基づくタイプiiiの環境製品宣言であるまたは(b)特定の地理的領域において特定のプログラムオペレータによって発行され、サーバコンピュータシステムが特定の状態、国、大陸、または地域、または(c)のように動作する特定の地理的区域において、製品および組織環境フットプリントカテゴリ規則(PEFCR、OEFCR)のための欧州パイロットを含むがこれらに限定されない統一製品カテゴリ規則に基づいて発行される。
[093] 一実施形態では、処理モジュール(310)は、ユーザが、特定のまたは任意の地理的位置においてパートナーによって提供される製品および/またはサービスのような環境活動を検索することを可能にするようにさらに構成される。環境活動は、環境活動の各々の環境製品宣言のスコアと、環境活動の地理的位置とを含むが、これらに限定されない要因に基づいて、ユーザに表示されるいくつかの実施形態では、高いスコアを有する環境活動は、ユーザに昇格される優先度を与えられる。さらに、環境活動は、分類(ニューヨーク、(20)、(2011)に合致する米国特許専門家グループに記載された環境活動を含むことができ、(a)環境保護活動および支出、(b)資源管理活動および支出、および(c)資源使用活動および支出の(3つ)の部分から構成される環境活動はまた、環境を保護することを目的とする全ての活動を含むことができ、これに限定されないが、リサイクル、環境に優しい製品およびサービスを購入すること、再生可能な電気、電気自動車、および他の環境に優しい製品およびサービスを使用することを含むことができる。
[094] 一実施形態では、処理モジュール(310)は、環境活動の各々の環境製品宣言のスコアに基づいて環境活動を表示するように構成され、高いスコアの環境製品宣言を有する環境活動が最初に表示される。
[095] いくつかの実施形態では、処理モジュール(310)は、ユーザの地理的位置を決定し、ユーザからのその位置およびその環境製品宣言スコアに基づいて、ユーザへの環境活動を提案するように構成される処理モジュール(310)は、ユーザが、サーバコンピュータシステムおよび/またはモバイルアプリケーションによってホストされるウェブサイトを介して、ユーザに対してパートナーによって提供される製品および/またはサービスのような地理的位置における環境アクティビティを検索することを可能にするオプションを提供するように構成され得る。
[096] 処理モジュール(310)はまた、ユーザ、パートナー、およびディストリビュータの環境信用スコアを分析して、(1)または複数のユーザ、パートナー、および、高い環境クレジットスコアを有するディストリビュータを決定するように構成される。さらに、処理モジュール(310)は、ユーザ、パートナー、およびディストリビュータの環境クレジットスコアを公開し、ユーザ、パートナー、およびディストリビュータに通知するように構成される。
[097] いくつかの実施形態では、処理モジュール(310)はまた、登録されたユーザの前の環境活動の計算された環境影響に基づいて、登録されたユーザの環境活動の環境影響を低減するために、登録されたユーザに対して少なくとも(1つ)の環境アクティビティを提案するように構成される。
[098] いくつかの実施形態では、処理モジュール(310)は、登録されたユーザの前に登録されたユーザの環境活動の環境的影響に基づいて、登録されたユーザの各々についての環境クレジットスコアを(1つ)または複数のアルゴリズムを用いて計算し、登録されたユーザの後に少なくとも(1つ)の環境アクティビティにおける登録ユーザの参加を示唆するように構成されるを分析し、複数のユーザの環境信用スコアを分析して、高い環境クレジットスコアを有する(1)または複数のユーザを決定する。
[099] 一実施形態では、処理モジュール(310)はまた、(1つ)または複数のアルゴリズムを用いて、登録されたパートナーの環境信用スコア、および特定の地理的区域、特定の種類の環境活動、特定のカテゴリ、または製品またはサービスの分類のうちの少なくとも(1つ)について、登録された配布者の環境信用スコアを計算するように構成される。
[0100] いくつかの実施形態では、処理モジュール(310)はまた、高いスコアの環境製品宣言を用いて、環境活動に参加する(1)または複数のユーザの環境クレジットスコアに、より多くのポイントを追加するように構成される。
[0101] いくつかの実施形態では、処理モジュールは、マーク、記号、記号、および/または他の任意の利点を有する高環境クレジットコアを有するユーザ、パートナー、およびディストリビュータをマークするように構成される。
[0102] さらに、処理モジュール(310)は、検証された全ての環境アクティビティが、その中にクレジットされた後に、パートナーおよび配布者についての環境信用スコアを計算する。
登録されたパートナーの環境活動記録および/または一定の間隔でおよび/または登録されたパートナーからの要求に基づく。
[0103] データベース(312)は、登録されたユーザ、登録されたパートナー、および登録された配布者の個人情報および環境活動情報を記憶するように構成される。いくつかの実施形態では、データベース(312)は、パートナー、ユーザ、および配布者の少なくとも(1つ)の環境活動レコードを記憶するようにさらに構成され、各環境活動のカテゴリに基づいて、配布者、パートナー、およびユーザの環境活動記録におけるデータをリストするようにさらに構成されるさらに、データベース(312)は、複数のユーザ、パートナー、およびディストリビュータの一意のユーザ識別子に関連付けられた複数の環境アクティビティレコードを維持することができる。複数の環境活動レコードの各々は、環境活動および環境法則違反に関する情報を含むが、これらに限定されない登録された配信のディストリビュータは、パートナーに分散された製品及び/又はサービスを含む環境活動を監視し追跡し、分配器の環境活動レコードに記憶される。
[0104] 公開モジュール(314)は、複数のユーザ、パートナー、およびディストリビュータのそれぞれの環境アクティビティレコードの下で、複数のユーザ、パートナー、およびディストリビュータの環境クレジットスコアデータを公開するように構成される。
[0105] ユーザの環境クレジットスコアは、限定されるものではないが、プライベートセクタ組織、公共セクタ組織、自発的セクタおよび/または他のエンティティによって、これらに限定されないが、使用決定、大学アドミッション決定、およびランドロード-テナント決定、個人、会社、および他の任意のエンティティへの政府の決定を含むエンティティによって使用することができるさらに、環境信用スコアは、サービス、報償、クレジット、シュルードがユーザに提供されるか又は承認されるべきかを決定するなどの、消費者の生活に影響を与えることができる他の領域で使用されてもよい。
[0106] (1つ)または複数の実施形態によれば、ユーザ、パートナー、およびディストリビュータの環境活動に基づく環境クレジットスコアリングのための方法が提供される。本方法は、複数のディストリビュータ、パートナー、およびユーザの各々について、サーバコンピュータシステムによってアクセス可能な、ディストリビュータ環境アクティビティレコード、パートナー環境アクティビティレコード、およびユーザ環境アクティビティレコードを作成するステップと、各ディストリビュータのパートナーを関連付けるステップとを含むと、固有のユーザ識別子を有するユーザのレコードとを含む。方法はまた、登録されたユーザとなる前に、ユーザによって完了した環境活動に関する情報を収集することを含む。この方法はまた、登録されたパートナーおよび/または未登録のエンティティを用いて、ユーザによって提供された情報を検証することを含むこの方法はまた、ユーザから収集された情報に基づいてユーザの環境活動の推定された環境影響を1つ以上のアルゴリズムを用いて計算し、ユーザの環境活動の環境影響をユーザに提案する前にユーザの環境活動の環境影響を使用して、ユーザの環境活動の環境影響を低減するのに役立つことができるユーザに環境活動を提案することを含むと、登録ユーザである前のユーザの環境活動の環境影響と、登録ユーザの後にサーバコンピュータシステムが示唆する環境活動におけるユーザの参加とを、ユーザの環境クレジットスコアの算出に用いることができる。
[0107] 本方法はまた、サーバコンピュータシステムにおいて、通信ネットワークを介して複数のディストリビュータおよびパートナーからリアルタイムでデータを受信し、サーバコンピュータシステムのデータベースにデータを記憶するステップと、複数のユーザに対してパートナーによって提供されるユーザ"、パートナー"および配布者の環境法則違反および他の活動および/または環境活動のような環境活動に関連するが、これらに限定されない、環境活動に関連するパートナーから受信されたデータとを含むと、前記ディストリビュータによってパートナーに配布された製品及び/又はサービスのような環境活動に関連するディストリビュータから受信されたデータと、前記ディストリビュータによって使用される製品及び/又はサービスのような環境活動と、を含み、前記パートナーに環境活動を分散させることと、前記パートナーの固有のユーザ識別子と、送信された前記環境アクティビティに関する情報とを含むが、これらに限定されない、パートナーによって送信される各環境アクティビティのデータを含むは、送信された環境アクティビティに関する情報が、環境アクティビティに関連付けられたディストリビュータを識別することができる。送信される環境活動に関する情報は、環境活動が送信された地理的位置、環境製品宣言、および/またはローカルおよび/または国際環境法則違反の情報を含むが、これらに限定されない複数のディストリビュータおよびパートナーから受信したデータを検証し、パートナーによって提供または報告された製品および/またはサービスおよび/または環境法則違反のような各環境活動の環境影響を評価するステップと、と、パートナーによって提供された製品及び/又はサービスの環境製品宣言に含まれる環境影響情報と、他のパートナーによって提供される同様の製品およびサービスの環境製品宣言に含まれる情報とに基づいて、パートナーによってユーザに提供される各環境活動に対するスコアを、1つ以上のアルゴリズムを使用して使用すると、前記ディストリビュータが使用する製品及び/又はサービスの環境製品宣言に含まれる環境影響情報に基づいて、環境活動をパートナーに分散させるために前記ディストリビュータによって使用される各環境活動についてのスコアを1つ以上のアルゴリズムを用いて計算することと、前記登録されたパートナー及び/又は未登録エンティティに製品及び/又はサービスのような環境活動を分散させることとを含むと、他のディストリビュータによって使用された同様の製品及び/又はサービスの検証された環境製品宣言に含まれて環境活動を分散させるステップと、各環境法則違反の環境影響に基づいて、各環境法則違反に対するスコアを1つ以上のアルゴリズムを用いてスコアを計算するステップとを含むパートナーによって提供される検証された環境活動のスコアおよび数、パートナーの環境則違反、およびサーバコンピュータシステムの提案に対するパートナーの応答を使用して、パートナーの環境信用スコアを計算することができるディストリビュータによって使用される検証された環境活動のスコアおよび数、ディストリビュータの環境則違反、およびサーバコンピュータシステムの提案に対するディストリビュータの応答を使用して、ディストリビュータの環境クレジットスコアを計算することができ、パートナーは、サービスシステムのパートナーのポイントにおけるユーザを識別することができるで提供される環境活動におけるユーザの参加を確認するために、ユーザが一意のユーザ識別子を有するパートナーを提供することができ、サーバコンピュータシステムにおいて、通信ネットワークを介して複数のサービスシステムの複数のパートナーのポイントからリアルタイムでデータを受信し、サーバコンピュータのデータベースにデータを記憶することを含む。
システムは、ユーザによって完了し、サービス。システムのパートナーのポイントでパートナーによって確認された環境活動に関するデータを含む。ユーザによって完了した各環境アクティビティのデータは、ユーザおよびパートナーの固有のユーザ識別子、完了した環境活動に関する情報、および、その環境アクティビティがディストリビュータによってパートナーに配布された場合に、ディストリビュータに関する情報を含むが、これらに限定されないを識別するユーザによって完了した各環境活動についてのデータから、ユーザによって完了した環境活動に関する情報に基づいて、分配者および/またはユーザおよびパートナーの環境活動記録を信用し、または複数のアルゴリズムを使用してユーザの環境信用スコアを計算するステップとを含む登録されたユーザについての環境信用スコアの計算は、(a)環境を保護することを目的とするユーザの環境活動の数、カテゴリ、および環境影響を含むが、これらに限定されない要因に基づく。(b)ユーザの環境活動の履歴の長さ、(c)ユーザが完了した各環境活動の環境製品宣言のスコアを含むと、(d)ユーザの環境活動に基づいてサーバコンピュータシステムによって提案されたアクティビティに対するユーザの応答を、登録ユーザである前にユーザの環境活動に基づいて決定するステップと、(e)ユーザの環境法則違反のタイプおよび数を計算するステップとを含む。
[0108] 本方法はまた、環境活動のタイプ、地理的区域または他の任意の区域を含むが、これらに限定されない様々な区域におけるユーザの環境信用スコアを分析することを含む。本方法はまた、ユーザ、パートナー、および配布者の環境活動記録の下で、ユーザ、パートナー、および配布者の環境信用スコアデータを公開することを含むユーザが他のユーザを参照してサーバコンピュータシステムに登録する際のポイントなどのユーザ利益を付与するステップと、ユーザ、パートナー、および、マーク、標識、または記号を有する高環境クレジットスコアを有する配布者をマーキングするステップとを含む。本方法はまた、個人および/または公衆および/または自発的セクタによるユーザの環境信用スコアおよび/または任意のセクタおよび/または他のエンティティによって、これらに限定されるものではないが、使用決定、大学アドミッション決定を含む領域内の他のエンティティを使用することを含む、および、個人、会社、および任意の個人への政府の決定を含む。
他のエンティティであって、消費者の生活に影響を及ぼす可能性のある他のエリアにおける環境クレジットスコアを使用すること、例えば、サービス、報償、クレジット、またはシュタルシップがユーザに提供されるか又は承認されるべきかを決定することを含む。この方法はまた、ユーザが、特定の地理的位置においてパートナーによって提供される製品および/またはサービスのような環境活動を検索することを可能にすることを含む本方法はまた、パートナーに配布され、ユーザによって完了された環境活動に関する配布者情報を提供することを含む。
[0109] (1つ)または複数の実施形態によれば、ユーザ、パートナー、およびディストリビュータの環境活動に基づく環境クレジットスコアリングのためのシステムが提供される。システムは、ユーザの環境活動データを受信するための複数のサービス。システムを含む。システムはまた、通信ネットワークを介して複数のサービス。システムの各々と通信するサーバ。コンピュータ。システムを含むサーバコンピュータシステムは、複数の配布者、パートナー、およびユーザの各々にアクセス可能な配布者、パートナー、およびユーザ環境活動記録を作成するように構成され、各配布者、パートナー、およびユーザのレコードは、一意のユーザ識別子に関連付けられ、登録ユーザとなる前に、ユーザによって完了した環境活動の情報を収集するサーバコンピュータシステムはまた、登録されたパートナーおよび/または未登録のエンティティを有するユーザによって提供された情報を検証するように構成され、ユーザから収集された情報に基づいて、ユーザの環境活動の推定された環境影響の(1つ)または複数のアルゴリズムを使用して、登録されたユーザがユーザに環境活動を示唆する前に、ユーザの環境活動の環境影響を使用するように構成されると、登録されたユーザである前のユーザの環境活動の環境影響と、登録されたユーザの後にサーバコンピュータシステムが示唆する環境活動におけるユーザの参加とを、ユーザの環境信用スコアを算出する際に使用することができる。
[0110] サーバ。コンピュータ。システムは、複数のディストリビュータおよびパートナーからリアルタイムでデータを受信し、サーバ。コンピュータ。システムのデータベースにデータを記憶するようにも構成され、そのデータは、環境活動に関連するパートナーから受信される。
複数のユーザに対してパートナーによって提供される他の活動および/または環境活動を含むが、これらに限定されない。販売業者によってパートナーに配布された製品及び/又はサービスのような環境活動、及び、製品及び/又はサービスのような環境活動に関連するディストリビュータから受信されたデータは、流通業者によって使用された環境活動をパートナーに配信するパートナーによって提供される環境活動データは、ユーザに昇格されることができる。サーバコンピュータシステムはまた、複数のディストリビュータおよび/またはパートナーから受信されたデータを検証し、製品および/またはサービスおよび/またはパートナーによって提供または報告された環境法則違反のような各環境活動の環境影響を評価するように構成されるサーバコンピュータシステムはまた、(1つ)または複数のアルゴリズムを用いて、パートナーによって提供された製品および/またはサービスの環境製品宣言に含まれる環境影響情報と、他のパートナーによって提供される類似の製品およびサービスの環境製品宣言に含まれる情報とに基づいて、パートナーによって提供される各環境活動に対するスコアを、ユーザに計算するように構成されるの環境活動についてのスコアを1つ以上のアルゴリズムを用いて計算し、製品および/またはサービスのような環境活動を登録されたパートナーおよび/または未登録のエンティティに配布するために、配布者が使用する製品および/またはサービスの環境製品宣言に含まれる環境影響情報に基づいて、環境活動をパートナーに配布するために、配布者によって使用される各環境活動に対するスコアを計算すると、他のディストリビュータによって使用される同様の製品及び/又はサービスの検証された環境製品宣言に含まれる情報とを比較して、環境活動を分散させ、各環境法則違反の環境影響に基づいて、各環境法則違反についてのスコアを(1つ)又は複数のアルゴリズムを用いて計算するパートナーによって提供される検証された環境活動のスコアおよび数、パートナーの環境則違反、およびサーバコンピュータシステムの提案に対するパートナーの応答を使用して、パートナーの環境信用スコアを計算することができるディストリビュータによって使用される検証された環境活動のスコアおよび数、ディストリビュータの環境則違反、およびサーバコンピュータシステムの提案に対するディストリビュータの応答を使用して、ディストリビュータの環境信用スコアを計算することができるサーバコンピュータシステムはまた、パートナーがサービスシステムのパートナーのポイントでユーザを識別することを可能にするように構成され、ユーザは、パートナーによって提供される環境活動におけるユーザの参加を確認するために、一意のユーザ識別子を有するパートナーを提供することができるサーバ。コンピュータ。システムはまた、複数のサービス。システムからリアルタイムでデータを受け取り、サーバ。コンピュータ。システムのデータベースにデータを記憶するように構成され、ユーザによって完了し、パートナーのシステムでパートナーによって確認された環境活動に関するデータ、ユーザによって完了した各環境活動のデータを含むが、これらに限定されるものではないが、ユーザ、パートナー、および配布者の一意のユーザ識別子を含むされた環境アクティビティに関する情報と、ディストリビュータによってパートナーに分散された環境アクティビティが完了した場合のディストリビュータに関する情報とを含む。
[0111] サーバ。コンピュータ。システムはまた、ユーザによって完了した各環境アクティビティのデータから、ユーザによって完了した環境活動の情報に基づいて、固有のユーザ識別子に関連付けられたディストリビュータおよび/またはユーザおよびパートナーの環境活動レコードを識別し、その情報に基づいて、ディストリビュータおよび/またはユーザおよびパートナーの環境活動レコードをクレジットするように構成されるサーバコンピュータシステムはまた、(1つ)または複数のアルゴリズムを使用して、ユーザのための環境クレジットスコアを計算するように構成される。登録されたユーザについての環境信用スコアの計算は、(a)環境を保護することを目的とするユーザの環境活動の数、カテゴリ、および環境影響を含むが、これらに限定されない要因に基づいている。(b)ユーザの環境活動の履歴の長さと、(c)ユーザによって完成された各環境アクティビティの環境製品宣言のスコアと、(d)ユーザの環境活動に基づいて提案されたサーバコンピュータシステムによって示唆されたアクティビティに対するユーザの応答と、(e)ユーザの環境法則違反のタイプおよび数とを含むサーバコンピュータシステムはまた、環境活動、地理的区域、および任意の他の区域のタイプを含むが、これらに限定されない様々な区域におけるユーザ、パートナー、および配布者の環境信用スコアを分析するように構成される。
[0112] サーバ。コンピュータ。システムは、ユーザ、パートナー、および配布者の環境活動記録の下で、ユーザ、パートナー、および配布者の環境信用スコア。データを公開するように構成され、ユーザが他のユーザを参照してサーバ。コンピュータ。システムに登録する際のポイントなどの利益をユーザに許可し、マーク、標識、または記号を有する高環境クレジット。スコアを有するユーザ、パートナー、および配布者をマークするように構成されるサーバコンピュータシステムはまた、ユーザが、特定の地理的位置においてパートナーによって提供される製品および/またはサービスのような環境活動を検索することを可能にするように構成される。サーバコンピュータシステムはまた、パートナーに配布され、ユーザによって完了された環境活動に関する情報をディストリビュータに提供するように構成されるサーバ。コンピュータ。システムはまた、配布者および/またはパートナー、および/またはサーバ。コンピュータ。システムのユーザが、それらの環境活動のリアルタイム。データを監視し収集し、パートナーがユーザの環境活動データに関する情報を収集することを可能にするように構成される。
[0113] サーバコンピュータシステムを含む開示されたシステムは、ユーザの環境信用スコアを分析して、高い環境クレジットスコアを有する(1)または複数のユーザ、パートナー、およびディストリビュータを決定するように構成される。解析は、環境活動のカテゴリ、地理的領域または他の任意の領域を含むがこれらに限定されない様々な領域で行うことができるサーバ。コンピュータ。システムは、ユーザ、パートナー、および配布者の環境信用スコアに関連する配布者情報、パートナー、および配布者、利用可能な利益、環境信用スコア計算のための新しい規則などに関連したユーザ、パートナー、および配布者情報と交換することができる。サーバ。コンピュータ。システムは、システム。メッセージおよび提案に対するユーザ、パートナー、および配布者の応答を受け取ることができるサーバコンピュータシステムは、(1つ)または複数のユーザ、パートナー、および、マーク、標識、または記号を有する高環境クレジットスコアを有するディストリビュータをマークすることができる。サーバ。コンピュータ。システムは、ユーザが他のユーザを参照してサーバ。コンピュータ。システムに登録する際に、ポイントなどの利点をユーザに付与することができる。
[0114] さらに、本開示のサーバコンピュータシステムを含む開示されたシステムは、ユーザの環境信用スコアデータを公開するように構成され、
パートナーおよびディストリビュータは、ユーザ、パートナー、および配布者の環境活動記録の下での配布者である。
[0115] 本開示の方法およびシステムは、ユーザ、パートナー、および配布者の環境信用スコアを計算するためのものである。ユーザの環境信用スコアは、個人および/または公共および/または自発的セクタおよび/または任意のセクタおよび/または他のエンティティによって、これらに限定されるものではないが、雇用決定、大学アドミッション決定、およびランドロード-テナント決定、個人への政府の決定を含むが、これらに限定されない他のエンティティによって使用することができる企業および他の任意のエンティティは、ユーザの環境信用スコアを使用することができる。さらに、環境クレジットスコアは、サービス、報償、クレジット、ショール船舶がユーザに提供されるか又は承認されるべきかを決定するなどの、消費者の生活に影響を与えることができる他の領域で使用されてもよい。パートナーおよび配布者の環境信用スコアは、限定されるものではないが、企業および他の任意のエンティティへの政府の決定のような領域で使用することができる。
[0116] 本開示の方法およびシステムは、ユーザが、特定の地理的位置においてパートナーによって提供される製品および/またはサービスのような環境活動を検索することを可能にする。開示されたサーバコンピュータシステムは、各環境活動の環境製品宣言のスコアに基づいて環境活動を表示し、高いスコア環境製品宣言を伴う環境活動が最初に表示されるサーバコンピュータシステムは、ユーザの地理的位置を決定し、ユーザからのその位置およびその環境製品宣言スコアに基づいて、ユーザへの環境活動を提案することができる。ユーザが、特定の地理的位置における環境活動を検索することを可能にするオプションを提供する、パートナーによって提供される製品および/またはサービスは、サーバコンピュータシステムによってホストされるウェブサイトを介して、および/またはモバイルアプリケーションを介して、サーバコンピュータシステムによってユーザに提供され得る。
[0117] 本開示の方法およびシステムは、ユーザが、開示されたサーバコンピュータシステムにアクセスし、ユーザによって操作されるクライアント装置上の登録されたユーザの環境活動に関する情報を表示することを可能にし、ユーザに表示された情報は、ユーザの環境活動および環境クレジットスコアを含むが、これらに限定されず、ユーザは、サーバコンピュータシステムまたはモバイルアプリケーションによってホストされるウェブサイトを介して、サーバコンピュータシステムにアクセスすることができる。
[0118] 本開示の方法およびシステムは、パートナーに配布され、ユーザによって完了された環境活動に関する情報を備えたディストリビュータを提供する。
[0119] 本開示の方法およびシステムは、配布者および/またはパートナー、および/またはユーザが、それらの環境活動のリアルタイムデータを監視し収集することを可能にし、パートナーが、ユーザの環境活動データに関する情報を収集することを可能にする。
[0120] サービス。システムを含むサーバ。コンピュータ。システム160内で実行される上述のプロセスは、ファームウェア、ハードウェア、ソフトウェア、またはそれらの任意の組み合わせで実施することができる。このプロセスは、好ましくは、プロセッサによって読み取り可能な記憶媒体を含むプログラマブル。コンピュータ上で実行されるコンピュータ。プログラムまたは複数のコンピュータ。プログラムで実施される()例えば、、揮発性および不揮発性メモリおよび/または記憶素子)、入出力デバイス、およびプロセッサ。各コンピュータプログラムは、コンピュータのランダムアクセスメモリに常駐するコードモジュール内の1組の命令(プログラムコード)とすることができる。コンピュータによって要求されるまで、命令のセットは、別のコンピュータ。メモリ()例えば、メモリ。メモリ)に記憶されてもよい、または光ディスク、外部ハードドライブ、メモリカード、またはフラッシュドライブなどの取外し可能なメモリ)に格納されてもよく、あるいは、他のコンピュータシステム上に格納され、インターネットまたは他のネットワークを介してダウンロードされてもよい。
[0121] サーバ。コンピュータ。システム(160)は、物理マシンまたは複数の物理マシン、または物理マシンまたは複数の物理マシン上で動作する仮想マシンを備えることができる。さらに、サーバ。コンピュータ。システムは、ネットワークまたはインターネットによって接続されたコンピュータまたは複数の分散コンピュータのクラスタを備えることができる。
[0122] さらに、本明細書に記載された方法および機能は、任意の特定のシーケンスに限定されず、それに関連する動作またはブロックは、適切な他のシーケンスで実行することができる。例えば、説明された行為またはブロックは、具体的に開示されたもの以外の順序で実行されてもよく、または複数の行為またはブロックが単一の動作またはブロックにおいて組み合わされてもよい。
[0123] 本発明は、現在最も実用的でかつ様々な実施形態であると考えられるものに関連して説明されてきたが、本発明は開示された実施形態に限定されるものではなく、むしろ、様々な変更および均等な構成を網羅することが意図されることを理解すべきである。
【図１】
2020529092.tif 000003
【図２Ａ】
2020529092.tif 000004
【図２Ｂ】
2020529092.tif 000005
【図３】
2020529092.tif 000006
【国際調査報告】
2020529092.tif 000007